(57)【要約】【課題】表示装置を提供する。【解決手段】実施形態によれば、第１、第２基板部と、表示層と、駆動素子と、を含む表示装置が提供される。第１基板部は、第１基板と、表示部と、回路部と、を含む。第１基板は、表示領域と周辺領域とを含む第１面を有する。表示部は、表示領域上に設けられ、第１〜第３配線と、スイッチ素子と、画素電極と、を含む。回路部は、周辺領域に設けられる。第２基板部は、第２基板と第４配線とを含む。表示層は、第１、第２基板部との間に設けられる。駆動素子は、周辺領域の上に設けられ電気信号を回路部に出力可能である。回路部の少なくとも一部は、駆動素子と第１基板との間に配置される。【選択図】図１
2015230400.tif 000002
【特許請求の範囲】
【請求項１】
表示領域と、周辺領域と、を含む第１面を有する第１基板と、
前記表示領域に設けられた表示部であって、
前記周辺領域から前記表示領域に向かう方向に対して交差する第１方向に延在し前記第１方向と交差する第２方向に並ぶ複数の第１配線と、
前記第２方向に延在し前記第１方向に並ぶ複数の第２配線と、
それぞれが前記複数の第１配線のいずれか及び前記複数の第２配線のいずれかと電気的に接続された複数のスイッチ素子と、
それぞれが前記複数のスイッチ素子のそれぞれと電気的に接続された複数の画素電極と、
前記第２方向に延在し前記第１方向に並ぶ複数の第３配線と、
を含む表示部と、
前記周辺領域に設けられ、前記複数の第２配線の少なくともいずれかと前記複数の第３配線の少なくともいずれかとに電気的に接続された回路部と、
を含む第１基板部と、
前記第１面に対向する第２面と、前記第２面の反対側の第３面と、を有する第２基板と、
前記第３面に設けられ前記第３面に対して平行で前記第２方向に対して交差する第３方向に延在し前記第３面に対して平行で前記第３方向と交差する第４方向に並ぶ複数の第４配線と、
を含む第２基板部と、
前記第１基板部と前記第２基板部との間に設けられ前記複数の画素電極に与えられる電気信号に基づいて、光学動作を行う表示層と、
前記周辺領域の上に設けられ前記電気信号を前記回路部に出力可能な駆動素子と、
を有し、
前記回路部の少なくとも一部は、前記駆動素子と前記第１基板との間に配置される、表示装置。
【請求項２】
前記回路部と前記駆動素子とに電気的に接続された制御部をさらに含み、
前記制御部は、前記回路部及び前記駆動素子に、第１動作と第２動作とを実施させ、
前記第１動作は、表示期間において、
前記複数の第１配線のいずれか及び前記複数の第２配線のいずれかに接続された前記複数のスイッチ素子のうちのいずれかを選択し、
前記複数の画素電極のうちの前記選択されたスイッチ素子と電気的に接続された画素電極に画像電位を印加し、
前記複数の第３配線の少なくともいずれかに表示対向電位を印加し、
前記第２動作は、非表示期間において、
前記複数の第２配線の少なくともいずれかの電位を、前記複数の第３配線のいずれかの電位と同電位にする、請求項１に記載の表示装置。
【請求項３】
前記第２動作において、前記複数の第４配線の少なくともいずれかと、前記複数の第３配線の少なくともいずれかと、の間に形成される容量の変化を検知する検出部を有する、請求項１又は請求項２に記載の表示装置。
【請求項４】
前記表示対向電位に設定される表示対向電位線と、
セレクタスイッチと、
コモンセレクタと、
をさらに含み、
前記回路部の一端は、前記駆動素子と電気的に接続され、前記回路部の他端は、前記セレクタスイッチ及び前記コモンセレクタと電気的に接続され、
前記第１動作において、前記セレクタスイッチは、前記回路部と、前記複数の第２配線のそれぞれと、を電気的に接続し、前記コモンセレクタは、前記表示対向電位線と、前記複数の第３配線のそれぞれと、を電気的に接続し、
前記第２動作において、前記回路部は、前記駆動素子を前記複数の第２配線のそれぞれと電気的に遮断し、前記コモンセレクタは、前記複数の第３配線の少なくともいずれかと前記複数の第２配線の少なくともいずれかとを電気的に接続する、請求項２又は請求項３に記載の表示装置。
【請求項５】
前記表示対向電位とは異なる検知電位に設定される検知電位線と、
前記検知電位とは異なる電位の接地電位線と、
を含み、
前記駆動素子は、前記電気信号の一部を出力可能なソース回路を含み、
前記回路部は、
一端が前記検知電位線と電気的に接続され他端が前記ソース回路の出力と電気的に接続された検知電位スイッチと、
一端が前記検知電位線と電気的に接続され他端が前記接地電位線に接続された接地電位スイッチと、
を含む、請求項２又は請求項３に記載の表示装置。
【請求項６】
前記複数の第２配線は、信号線を含み、
前記駆動部は、一端が前記信号線に接続され他端が前記検知電位スイッチの前記他端に接続された信号線スイッチをさらに含む、請求項５に記載の表示装置。
【請求項７】
前記複数の第３配線は、コモン線を含み、
前記表示対向電位に設定される表示対向電位線と、
一端が前記コモン線に接続され他端が前記表示対向電位線に接続された第１コモンスイッチと、
一端が前記コモン線に接続され他端が前記信号線に接続された第２コモンスイッチと、
をさらに含む、請求項６に記載の表示装置。
【請求項８】
前記第１動作において、
前記検知電位スイッチは、前記表示対向電位線を前記ソース回路の前記出力と電気的に遮断し、
前記接地電位スイッチは、前記接地電位線を前記ソース回路の前記出力と電気的に遮断し、
前記信号線スイッチは、前記信号線を前記ソース回路の前記出力と電気的に接続し、
前記第１コモンスイッチは、前記コモン線を前記表示対向電位線と電気的に接続し、
前記第２コモンスイッチは、前記コモン線を前記信号線と電気的に接続する、請求項７に記載の表示装置。
【請求項９】
前記第２動作において、
前記検知電位スイッチ及び前記接地電位スイッチにより、前記表示対向電位線が前記ソース回路の前記出力及び前記接地電位線のいずれか一方に電気的に接続されている状態を形成し、
前記信号線スイッチは、前記信号線を前記接地電位スイッチの他端と電気的に接続し、
前記第１コモンスイッチは、前記コモン線を前記表示対向電位線と電気的に遮断し、
前記第２コモンスイッチは、前記コモン線を前記信号線と電気的に接続する、請求項７または請求項８に記載の表示装置。
【請求項１０】
前記回路部と前記駆動素子とに電気的に接続された制御部をさらに含み、
前記制御部は、前記回路部及び前記駆動素子に、第１動作と第２動作とを実施させ、
前記第１動作は、表示期間において、
前記複数の第１配線のいずれか及び前記複数の第２配線のいずれかに接続された前記複数のスイッチ素子のうちのいずれかを選択し、
前記複数の画素電極のうちの前記選択されたスイッチ素子と電気的に接続された画素電極に画像電位を印加し、
前記複数の第３配線の少なくともいずれかに表示対向電位を印加し、
前記第２動作は、非表示期間において、
前記複数の第２配線の少なくともいずれかの電位を、浮遊電位とする、請求項１に記載の表示装置。
【請求項１１】
接続導電部材をさらに含み、
前記駆動素子は前記第１基板側の面に設けられた下面電極を含み、
前記第１基板部は、前記周辺領域に設けられた配線電極をさらに含み、
前記接続導電部材は、前記下面電極と前記配線電極との間に配置され、前記下面電極と前記配線電極とを電気的に接続する、請求項１乃至請求項１０のいずれか１つに記載の表示装置。
【請求項１２】
前記第１面に投影したときに、前記駆動素子は、前記第２基板部と重ならない、請求項１乃至請求項１１のいずれか１つに記載の表示装置。
【請求項１３】
赤色フィルタ層と、緑色フィルタ層と、青色フィルタ層と、を含むカラーフィルタ層と、
前記第２方向に延在する複数の第５配線と、
をさらに含み、
前記カラーフィルタ層は、前記赤色フィルタ層と前記緑色フィルタ層との間の第１境界部と、前記緑色フィルタ層と前記青色フィルタ層との間の第２境界部と、前記青色フィルタ層と前記赤色フィルタ層との間の第３境界部と、を有し、
前記複数の第５配線のそれぞれは、複数の第３配線のいずれかに電気的に接続され、
前記複数の第５配線のそれぞれの電気抵抗は、前記複数の第３配線のそれぞれの電気抵抗よりも低く、
前記複数の第５配線は、前記第１方向及び前記第２方向を含む平面に投影したときに、前記第１境界部または前記第２境界部と重なり、前記第３境界部とは重ならない、請求項１乃至請求項１２のいずれか１つに記載の表示装置。
【請求項１４】
前記複数の第３配線どうしの間隙の少なくともいずれかは、前記第１方向及び前記第２方向を含む平面に投影したときに、前記第３境界部と重なる、請求項１３に記載の表示装置。
【請求項１５】
赤色フィルタ層と、緑色フィルタ層と、青色フィルタ層と、を含むカラーフィルタ層をさらに含み、
前記カラーフィルタ層は、前記赤色フィルタ層と前記緑色フィルタ層との間の第１境界部と、前記緑色フィルタ層と前記青色フィルタ層との間の第２境界部と、前記青色フィルタ層と前記赤色フィルタ層との間の第３境界部と、を有し、
前記複数の第３配線どうしの間隙の少なくともいずれかは、前記第１方向及び前記第２方向を含む平面に投影したときに、前記第３境界部と重なる請求項１乃至請求項１２のいずれか１つに記載の表示装置。
【発明の詳細な説明】
【技術分野】
【０００１】
本発明の実施形態は、表示装置に関する。
【背景技術】
【０００２】
液晶や有機ＥＬなどを用いた表示装置が開発されている。表示装置において、表示動作の他に、例えば、タッチ入力の検出動作が行われる場合がある。このような表示装置において、装置の小型化が望まれる。
【先行技術文献】
【特許文献】
【０００３】
【特許文献１】特開２０１２−２３０６５７号公報
【発明の概要】
【発明が解決しようとする課題】
【０００４】
本発明の実施形態は、小型の表示装置を提供する。
【課題を解決するための手段】
【０００５】
本発明の実施形態によれば、第１基板部と、第２基板部と、表示層と、駆動素子と、を含む表示装置が提供される。前記第１基板部は、第１基板と、表示部と、回路部と、を含む。前記第１基板は、表示領域と、前記周辺領域と、を含む第１面を有する。前記表示部は、前記表示領域に設けられ、前記周辺領域から前記表示領域に向かう方向に対して交差する第１方向に延在し前記第１方向と交差する第２方向に並ぶ複数の第１配線と、前記第２方向に延在し前記第１方向に並ぶ複数の第２配線と、それぞれが前記複数の第１配線のいずれか及び前記複数の第２配線のいずれかと電気的に接続された複数のスイッチ素子と、それぞれが前記複数のスイッチ素子のそれぞれと電気的に接続された複数の画素電極と、前記第２方向に延在し前記第１方向に並ぶ複数の第３配線と、を含む。前記回路部は、前記周辺領域に設けられ、前記複数の第２配線の少なくともいずれかと前記複数の第３配線の少なくともいずれかとに電気的に接続される。前記第２基板部は、前記第１面に対向する第２面と、前記第２面の反対側の第３面と、を有する第２基板と、前記第３面に設けられ前記第３面に対して平行で前記第２方向に対して交差する第３方向に延在し前記第３平面に対して平行で前記第３方向と交差する第４方向に並ぶ複数の第４配線と、を含む。前記表示層は、前記第１基板部と前記第２基板部との間に設けられ前記複数の画素電極に与えられる電気信号に基づいて、光学動作を行う。前記駆動素子は、前記周辺領域の上に設けられ前記電気信号を前記回路部に出力可能である。前記回路部の少なくとも一部は、前記駆動素子と前記第１基板との間に配置される。
【図面の簡単な説明】
【０００６】
【図１】図１（ａ）〜図１（ｃ）は、第１の実施形態に係る表示装置を例示する模式的平面図である。
【図２】第１の実施形態に係る表示装置を示す模式的断面図である。
【図３】第１の実施形態に係る表示装置を示す模式的斜視図である。
【図４】第１の実施形態に係る表示装置を示す模式図である。
【図５】第１の実施形態に係る表示装置を示す模式的断面図である。
【図６】第１の実施形態に係る表示装置を示す模式図である。
【図７】第１の実施形態に係る表示装置を示す模式図である。
【図８】第１の実施形態に係る表示装置の第１動作を示す模式図である。
【図９】第１の実施形態に係る表示装置の第２動作を示す模式図である。
【図１０】第１の実施形態に係る表示装置を示す回路図である。
【図１１】第１の実施形態に係る表示装置を示す回路図である。
【図１２】第２の実施形態に係る表示装置の一部を示す模式的断面図である。
【図１３】第３の実施形態に係る電子装置を示す模式的斜視図である。
【発明を実施するための形態】
【０００７】
以下に、本発明の各実施の形態について図面を参照しつつ説明する。  
なお、開示はあくまで一例にすぎず、当業者において、発明の主旨を保っての適宜変更について容易に相当し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。  
また、本明細書と各図において、既出の図に関して前述したものと同様の要素には、同一の符号を付して、詳細な説明を適宜省略することがある。
【０００８】
（第１の実施形態）  
図１（ａ）〜図１（ｃ）は、第１の実施形態に係る表示装置を例示する模式的平面図である。  
図１（ａ）に示すように、本実施形態に係る表示装置１１０は、第１基板部１０ｕと、第２基板部２０ｕと、駆動素子７１と、を含む。
【０００９】
図１（ｂ）は、第１基板部１０ｕを例示している。第１基板部１０ｕは、第１基板１０と、表示部ＤＰと、回路部７５と、を含む。第１基板１０は、第１面１０ａを有する。第１基板１０の第１面１０ａ側には、表示領域１０Ｄと、周辺領域１０Ｐと、が設けられている。表示部ＤＰは、表示領域１０Ｄの上に設けられる。回路部７５は、周辺領域１０Ｐの上に設けられる。
【００１０】
後述するように、表示部ＤＰには、各種の配線と、スイッチ素子と、画素電極と、が設けられる。表示部ＤＰの例については、後述する。
【００１１】
例えば、周辺領域１０Ｐから表示領域１０Ｄに向かう方向に対して交差する１つの方向を第１方向とする。第１方向は、第１面１０ａに対して平行である。上述の周辺領域１０Ｐから表示領域１０Ｄに向かう方向を第２方向とする。第１方向及び第２方向に垂直な方向を第５方向とする。
【００１２】
第１方向をＸ軸方向とする。第１面１０ａに対して平行でＸ軸方向に対して垂直な方向をＹ軸方向とする。Ｘ軸方向とＹ軸方向とに対して垂直な方向をＺ軸方向とする。後述するように、Ｙ軸方向が第２方向に対応し、Ｚ軸方向が第５方向に対応する。
【００１３】
表示領域１０Ｄにおいて、表示が行われる。図１（ｂ）に示す例では、第１基板部１０ｕは、第１ゲートドライバ７６ａと、第２ゲートドライバ７６ｂと、マルチプレクサ７７と、をさらに含む。第１ゲートドライバ７６ａと第２ゲートドライバ７６ｂとの間の領域に、表示領域１０Ｄが配置される。表示領域１０Ｄと回路部７５との間にマルチプレクサ７７が配置される。
【００１４】
第１基板部１０ｕは、第１基板コネクタ部７８ａをさらに含む。第１基板コネクタ部７８ａは、第１基板１０の周辺領域１０Ｐに設けられる。第１基板コネクタ部７８ａは、例えば、回路部７５及びゲートドライバの少なくともいずれかに電気的に接続されている。
【００１５】
実施形態において、電気的に接続される状態とは、２つの導体が直接接する状態、及び、間に他の導体が挿入されて２つの導体の間に電流が流れる状態を含む。さらに、電気的に接続される状態には、間に素子（例えばスイッチ素子など）が挿入されて２つの導体の間に電流が流れる状態を形成可能な状態を含む。
【００１６】
図１（ｃ）は、第２基板部２０ｕを例示している。第２基板部２０ｕは、第２基板２０と、複数の配線（後述する第４配線Ｌ４）と、を含む。第２基板２０は、第２面２０ａ（図２参照）と、第３面２０ｂと、を有する。第２面２０ａは、第１面１０ａに対向する面である。第３面２０ｂは、第２面２０ａとは反対側の面である。第４配線Ｌ４は、第３面２０ｂに設けられている。後述するように、第４配線Ｌ４は、タッチ入力の検出に用いられる。第２基板２０には、第２基板コネクタ部７８ｂが設けられている。第２基板コネクタ部７８ｂは、第４配線Ｌ４に電気的に接続されている。
【００１７】
図１（ａ）に示す例では、表示装置１１０は、第１回路基板８１と、第２回路基板８２と、検出部８３（例えばタッチ検出ＩＣ）と、をさらに含む。第１回路基板８１は、第１基板コネクタ部７８ａと電気的に接続される。第２回路基板８２は、第２基板コネクタ部７８ｂと電気的に接続される。図１（ａ）に示す例では、検出部８３は、第２回路基板８２の上に実装されている。これらの回路基板として、例えばＦＰＣ（Flexible Printed Circuit）が用いられる。検出部８３と駆動素子７１とは、互いに同期して動作することが可能である。
【００１８】
図１（ａ）に示すように、駆動素子７１は、第１基板１０の周辺領域１０Ｐの上に設けられる。例えば、第１面１０ａと平面上で重ね合せても、駆動素子７１は、第２基板部２０ｕと重ならない。
【００１９】
図２は、第１の実施形態に係る表示装置を例示する模式的断面図である。  
図２は、図１（ａ）のＡ１−Ａ２線断面を例示している。  
図２に示すように、駆動素子７１は、第１基板１０の周辺領域１０Ｐの上に設けられる。そして、回路部７５の少なくとも一部は、駆動素子７１と第１基板１０との間に配置される。すなわち、回路部７５の少なくとも一部の上に、駆動素子７１が配置される。
【００２０】
これにより、回路部７５と駆動素子７１とが互いに重ならない場合に比べて、周辺領域１０Ｐの面積を小さくできる。これにより、装置が小型化できる。
【００２１】
例えば、駆動素子７１は、下面電極７１ｃ、及び、別の下面電極７１ｄを含む。当該下面電極７１ｃ及び７１ｄは、駆動素子７１の第１基板１０側の面に設けられている。一方、第１基板部１０ｕは、配線電極１０ｃ、及び、別の配線電極１０ｄを含む。当該配線電極１０ｃ及び１０ｄは、周辺領域１０Ｐに設けられている。
【００２２】
そして、表示装置１１０は、接続導電部材７２ｃ、及び、別の接続導電部材７２ｄを、をさらに含む。接続導電部材７２ｃは、下面電極７１ｃと配線電極１０ｃとの間に配置され、下面電極７１ｃと配線電極１０ｃとを電気的に接続する。接続導電部材７２ｄは、下面電極７１ｄと配線電極１０ｄとの間に配置され、下面電極７１ｄと配線電極１０ｄを電気的に接続する。
【００２３】
第１基板１０として、例えば、ガラス基板を用いることができる。駆動素子７１は、例えば、ＣＯＧ（Chip On Glass）方式で、第１基板１０の上に実装されている。
【００２４】
図２に示す例では、第１基板コネクタ部７８ａと、第１回路基板８１と、が接続部材８１ｃによって接続されている。
【００２５】
図２に例示するように、第１基板部１０ｕと第２基板部２０ｕとの間に、表示層３０が配置される。この例では、第１基板部１０ｕと第２基板部２０ｕとの間において、封止部３７が設けられている。封止部３７は、第１基板１０と第２基板２０とを例えば接着する。この例では、マルチプレクサ７７（の少なくとも一部）は、封止部３７に接している。これにより、表示領域１０Ｄ以外の領域の面積が縮小できる。
【００２６】
以下、表示部ＤＰに設けられる、各種の配線、スイッチ素子及び画素電極の例について説明する。
【００２７】
図３は、第１の実施形態に係る表示装置を例示する模式的斜視図である。  
図３に示すように、本実施形態に係る表示装置１１０は、複数の第１配線Ｌ１（例えばゲート線ＧＬ）と、複数の第２配線Ｌ２（例えば信号線ＳＬ）と、複数の第３配線Ｌ３（例えばコモン線ＣＬ）と、を含む。第１配線Ｌ１、第２配線Ｌ２及び第３配線Ｌ３は、表示部ＤＰに含まれる。図３には、複数の第４配線Ｌ４も例示されている。
【００２８】
複数の第１配線Ｌ１のそれぞれは、第１方向に延在する。既に説明したように、第１方向は、周辺領域１０Ｐから表示領域１０Ｄに向かう方向に対して交差する方向である。複数の第１配線Ｌ１は、第２方向に並ぶ。第２方向は、第１方向と交差する。この例では、第２方向は、第１方向に対して垂直である。第１方向は、Ｘ軸方向に対して平行であり、第２方向は、Ｙ軸方向に対して平行である。
【００２９】
複数の第２配線Ｌ２のそれぞれは、第２方向に延在する。複数の第２配線Ｌ２は、第１方向に並ぶ。
【００３０】
複数の第３配線Ｌ３のそれぞれは、第２方向に延在する。複数の第３配線Ｌ３は、第１方向に並ぶ。
【００３１】
複数の第４配線Ｌ４は、Ｘ−Ｙ平面に対して垂直な方向（Ｚ軸方向、第５方向）において、第１配線Ｌ１〜第３配線Ｌ３と離間する。複数の第４配線Ｌ４のそれぞれは、第３方向に延在する。第３方向は、Ｘ−Ｙ平面に対して平行であり、第２方向に対して交差する。複数の第４配線Ｌ４は、第４方向に並ぶ。第４方向は、Ｘ−Ｙ平面に対して平行で、第３方向と交差する。この例では、第３方向は、Ｘ軸方向に対して平行であり、第４方向は、Ｙ軸方向に対して平行である。
【００３２】
複数の第１配線Ｌ１は、上述のように、例えばゲート線ＧＬである。複数のゲート線ＧＬは、例えば、第１ゲート線ＧＬ１、第２ゲート線ＧＬ２、及び、第ｎゲート線ＧＬｎを含む。ゲート線ＧＬの数は、ｎである。ｎは、２以上の整数である。例えば、ｎは、２５６０である。実施形態において、ｎは任意である。
【００３３】
複数の第２配線Ｌ２は、上述のように、例えば信号線ＳＬである。複数の信号線ＳＬは、例えば、第１信号線ＳＬ１、第２信号線ＳＬ２、及び、第ｍ信号線ＳＬｍを含む。信号線ＳＬの数は、ｍである。ｍは、２以上の整数である。例えば、赤画素、緑画素及び青画素の組が１つの要素となる場合、要素の数が１６００となる。要素の数が１６００の場合、ｍは、１６００×３＝４８００となる。第１方向に沿って並ぶ複数の画素の数に対応して信号線ＳＬが設けられる。実施形態において、ｍは任意である。
【００３４】
複数の第３配線Ｌ３は、上述のように、例えばコモン線ＣＬである。複数のコモン線ＣＬは、例えば、第１コモン線ＣＬ１、第２コモン線ＣＬ２、及び、第Ｎコモン線ＣＬＮを含む。コモン線ＣＬの数は、Ｎである。Ｎは、２以上の整数である。実施形態において、Ｎは任意である。
【００３５】
複数の第４配線Ｌ４は、上述のように、例えば検出線ＲＬである。複数の検出線ＲＬは、例えば、第１検出線ＲＬ１、第２検出線ＲＬ２、及び、第Ｍ検出線ＲＬＭを含む。検出線ＲＬの数は、Ｍである。Ｍは、２以上の整数である。実施形態において、Ｍは任意である。
【００３６】
この例では、ゲート線ＧＬと検出線ＲＬとの間に、信号線ＳＬ及びコモン線ＣＬが配置されている。実施形態においては、第５方向におけるこれらの線の配置は種々の変形が可能である。すなわち、ゲート線ＧＬ、信号線ＳＬ、コモン線ＣＬ、検出線ＲＬとの上下関係は、任意に変えることが可能である。
【００３７】
後述するように、複数のゲート線ＧＬと、複数の信号線ＳＬと、複数のコモン線ＣＬと、を用いて表示が行われる。この例では、複数のコモン線ＣＬと、複数の検出線ＲＬと、を用いて、例えば入力（例えばタッチ入力）が行われる。実施形態において、入力動作を行わない場合は、検出線ＲＬは省略しても良い。
【００３８】
後述するように、上記の回路部７５は、複数の第２配線Ｌ２（信号線ＳＬ）の少なくともいずれかと、複数の第３配線（コモン線ＣＬ）の少なくともいずれかと、に電気的に接続される。
【００３９】
図３に示すように、例えば、信号線ＳＬの数ｍは、コモン線ＣＬの数Ｎよりも大きい。信号線ＳＬの数が大きいことで、高精細の表示が実施できる。一方、入力の解像度は、表示の解像度よりも低くても良い場合が多い。このため、コモン線ＣＬの数は、ゲート線ＧＬの数よりも小さくできる。コモン線ＣＬの数を小さくすることで、検出動作に要する時間を短くでき、違和感のない、あるいは違和感の少ない表示が可能になる。
【００４０】
例えば、複数の信号線ＳＬが複数のグループに分けられる。例えば、複数の信号線ＳＬは、第１グループ〜第ｋグループなどを含む。複数のグループのそれぞれは、互いに隣り合う複数の信号線ＳＬを含む。例えば、１つのグループに含まれる信号線ＳＬの数は、例えばｊである。ｊは、２以上の整数である。
【００４１】
例えば、Ｘ−Ｙ平面に投影したときに、１つのコモン線ＣＬ（すなわち、複数のコモン線ＣＬのそれぞれ）は、複数の信号線ＳＬのグループのそれぞれと重なる。
【００４２】
図４は、第１の実施形態に係る表示装置を例示する模式図である。  
図４に例示するように、表示装置１１０において、複数のスイッチ素子１１と、複数の画素電極Ｐｘと、表示層３０と、が設けられる。スイッチ素子１１及び画素電極Ｐｘは、表示部ＤＰに含まれる。複数のスイッチ素子１１のそれぞれは、複数の第１配線Ｌ１（ゲート線ＧＬ）のいずれか、及び、複数の第２配線Ｌ２（信号線ＳＬ）のいずれかと電気的に接続される。
【００４３】
例えば、スイッチ素子１１は、ゲート１１ｇと、半導体層１２と、を含む。半導体層１２は、第１部分１２ａと、第２部分１２ｂと、を含む。ゲート１１ｇが、複数のゲート線ＧＬの１つと電気的に接続される。半導体層１２の第１部分１２ａが、複数の信号線ＳＬの１つと電気的に接続される。
【００４４】
複数の画素電極Ｐｘのそれぞれは、複数のスイッチ素子１１のそれぞれと電気的に接続される。例えば、１つの画素電極Ｐｘは、スイッチ素子１１の半導体層１２の第２部分１２ｂと、電気的に接続される。
【００４５】
表示層３０は、複数の画素電極Ｐｘに与えられる電気信号に基づいて、光学動作を行う。光学動作は、光学特性の変化と、発光と、の少なくともいずれかを含む。後述するように、表示層３０は、例えば、複数の画素電極Ｐｘと複数の検出線ＲＬとの間に設けられる。駆動素子７１は、画素電極Ｐｘに与えられる電気信号を回路部７５に出力可能である。この電気信号が、駆動素子７１を介して画素電極Ｐｘに供給される。
【００４６】
表示層３０として液晶層が用いられる場合は、光学動作は、光学特性の変化を含む。光学特性は、例えば、複屈折率、旋光性、散乱性、光反射率及び光吸収率の少なくいずれかを含む。例えば、画素電極Ｐｘに与えられる電気信号によって、画素電極Ｐｘ及びコモン線ＣＬとの間、あるいは、画素電極Ｐｘ及びコモン線ＣＬと接続されるコモン電極との間に電界が発生する。当該発生した電界により、表示層３０（液晶層）における液晶配向が変化し、実効的な複屈折率が変化する。旋光性、散乱性、光反射率及び光吸収率の少なくともいずれかが変化しても良い。なお、図４に示す表示装置１１０では、表示層３０として液晶層を用いているが、表示装置１１０として、液晶層に代えて発光層を用いてもよい。
【００４７】
表示層３０として発光層（例えば有機発光層）が用いられる場合は、光学動作は、発光（光の放出）を含む。有機発光層の例として、有機エレクトロルミネッセンス（Organic Electro Luminescence）では、一方の電極から電子、他方の電極から正孔（ホール）が移動する。当該電子及び正孔が発光層で再結合することにより、発光が生じる。また発光層として有機発光層に代えて、無機発光層を用いることも可能である。
すなわち、表示層３０は、光学特性の変化と、発光と、の少なくともいずれかの光学動作を行う。
【００４８】
表示層３０は、例えば液晶層が用いられる場合、負荷容量となる。図４に示す例では、表示層３０と並列に、蓄積容量Ｃｓが設けられている。蓄積容量Ｃｓは、必要に応じて設けられ、省略しても良い。
【００４９】
表示装置１１０において、複数の画素３５が設けられる。複数の画素３５のそれぞれに、少なくとも１つのスイッチ素子１１と、少なくとも１つの画素電極Ｐｘと、が設けられる。すなわち、複数のスイッチ素子１１のそれぞれが、複数の画素３５のそれぞれに設けられる。複数の画素電極Ｐｘのそれぞれが、複数の画素３５のそれぞれに設けられる。
【００５０】
図４に例示するように、表示装置１１０に駆動部６０が設けられる。  
駆動部６０は、例えば、第１駆動回路６１と、第２駆動回路６２と、制御部６３と、を含む。第１駆動回路６１は、複数のゲート線ＧＬと電気的に接続される。第２駆動回路６２は、複数の信号線ＳＬ及び複数のコモン線ＣＬと電気的に接続される。制御部６３は、第１駆動回路６１及び第２駆動回路６２と電気的に接続される。制御部６３が入手する電気信号に、適切な信号処理が行われる。信号処理が行われた電気信号が、第１駆動回路６１及び第２駆動回路６２に供給される。なお、当該電気信号は、画像信号を含む。
【００５１】
ゲート線ＧＬ、信号線ＳＬ、スイッチ素子１１及び画素電極Ｐｘにより、複数の画素３５における表示層３０（例えば液晶層）の光学動作が制御される。表示動作において、例えば、コモン線ＣＬが、画素電極Ｐｘの対向電極として利用される。すなわち、スイッチ素子１１を介して画素電極Ｐｘに電気信号が供給され、複数の画素電極Ｐｘのそれぞれの電位が制御される。画素電極Ｐｘとコモン線ＣＬとにより生じる電界により液晶の配向が変化して、表示が行われる。
【００５２】
図１（ｂ）に例示する第１ゲートドライバ７６ａ及び第２ゲートドライバ７６ｂは、例えば第１駆動回路６１に含まれる。図２に例示するした駆動素子７１及び回路部７５は、例えば、第２駆動回路６２に含まれる。マルチプレクサ７７が設けられる場合は、マルチプレクサ７７を、第２駆動回路部６２に含めても良い。
【００５３】
さらに、駆動部６０に、検出回路６５が設けられても良い。検出回路６５は、検出線ＲＬと電気的に接続される。検出動作においては、例えば、第２駆動回路６２と検出回路６５とにより、複数のコモン線ＣＬのそれぞれと、複数の検出線ＲＬのそれぞれと、の間に形成される容量の変化が検出される。例えば、図１（ａ）に例示する検出部８３は、検出回路６５に含まれる。
【００５４】
例えば、複数の検出線ＲＬと、複数のコモン線ＣＬと、により、表示装置１１０へのタッチ入力が検出される。検出動作においては、例えば、表示装置１１０の観視者（使用者）の指または入力部材（例えば入力ペンなど）などが表示装置１１０に接触、または、近接する。検出線ＲＬとコモン線ＣＬとによって形成される静電容量が、上記の接触または近接により変化する。この静電容量の変化を検出することで、タッチ入力が検出される。例えば、静電容量型の検出が行われる。このような表示装置１１０は、入力機能付きの表示装置と言える。
【００５５】
本実施の形態では、コモン線ＣＬ（第３配線Ｌ３）が、表示のための対向電極として用いられつつ、検出のための対向電極としても用いられる。
【００５６】
図４に例示するように、複数の画素３５は、第１色画素３５ａと、第２色画素３５ｂと、を含む。例えば、複数の画素電極Ｐｘは、第１色用の第１色画素電極Ｐｘａと、第２色用の第２色画素電極Ｐｘｂと、を含む。第２色は、第１色とは異なる。複数の信号線ＳＬは、第１色配線ＳＬａと、第２色配線ＳＬｂと、を含む。第１色配線ＳＬａは、複数のスイッチ素子１１のいずれかを介して第１色画素電極Ｐｘａと電気的に接続される。第２色配線ＳＬｂは、複数のスイッチ素子１１の別のいずれかを介して第２色画素電極Ｐｘｂと電気的に接続される。さらに、第３色画素及び第３画素電極が設けられても良い。これに伴い、第３色配線が設けられても良い。さらに、４色以上の画素３５が設けられても良い。以下では、３色の画素３５が設けられる場合の例について、説明する。
【００５７】
図５は、第１の実施形態に係る表示装置を例示する模式的断面図である。  
図５に示すように、表示装置１１０において、第１基板部１０ｕと、第２基板部２０ｕと、表示層３０と、が設けられる。表示装置１１０には、複数の画素３５が設けられる。図５は、１つの画素３５の部分を例示している。
【００５８】
例えば、第１基板部１０ｕとして、アレイ基板が用いられる。第１基板部１０ｕには、例えば、第１基板１０と、ゲート線ＧＬ（第１配線Ｌ１）と、スイッチ素子１１と、信号線ＳＬ（第２配線Ｌ２）と、コモン線ＣＬ（第３配線Ｌ３）と、画素電極Ｐｘと、が設けられる。
【００５９】
ゲート線ＧＬ及び信号線ＳＬは、例えば、Ｘ−Ｙ平面内に延在する。第１基板部１０ｕは、Ｘ−Ｙ平面内に延在する。
【００６０】
図５に示す第１基板１０は、光透過性である。第１基板１０として、例えば、ガラスまたは樹脂が用いられる。第１基板１０の上に、ゲート線ＧＬが設けられる。
【００６１】
本実施の形態では、スイッチ素子１１として、薄膜トランジスタ（Thin Film Transistor: ＴＦＴ）が用いられる。スイッチ素子１１は、半導体層１２を含む。半導体層１２は、第１部分１２ａと、第２部分１２ｂと、第３部分１２ｃと、を含む。第２部分１２ｂは、Ｘ−Ｙ平面内で、第１部分１２ａと離間する。第３部分１２ｃは、第１部分１２ａと第２部分１２ｂとの間に配置される。第１部分１２ａは、スイッチ素子１１のソース及びドレインの一方となる。第２部分１２ｂは、ソース及びドレインの他方となる。第３部分１２ｃは、スイッチ素子１１のチャネル部となる。
【００６２】
スイッチ素子１１は、ゲート１１ｇと、ゲート絶縁膜１１ｉと、をさらに含む。第３部分１２ｃとゲート１１ｇとの間に、ゲート絶縁膜１１ｉが設けられる。図５では、ゲート１１ｇの上に第３部分１２ｃが配置される。この例では、スイッチ素子１１は、ボトムゲート構造を有する。実施形態において、スイッチ素子１１は、トップゲート構造を有しても良い。
【００６３】
ゲート線ＧＬ及びゲート１１ｇの少なくともいずれかには、第１金属層が用いられる。第１金属層には、例えば、Ｍｏ（モリブデン）、ＭｏＷ（モリブデンタングステン）、Ａｌ（アルミニウム）、及び、Ｃｕ（銅）の少なくともいずれかが用いられる。例えば、第１金属層は、Ｍｏを含む。なお、ゲート線ＧＬ及びゲート１１ｇは、異なる材料を用いて形成してもよいし、同じ材料を用いて同層に形成してもよい。ゲート線ＧＬ及びゲート１１ｇを用いて形成した場合は、接続領域を設けて、電気的に接続する。
【００６４】
半導体層１２には、例えば、ポリシリコン、アモルファスシリコン及び結晶シリコンの少なくともいずれかが用いられる。半導体層１２として、酸化物半導体を用いても良い。例えば、半導体層１２は、インジウム（Ｉｎ）、ガリウム（Ｇａ）及び亜鉛（Ｚｎ）の少なくともいずれかを含む酸化物を含んでも良い。
【００６５】
信号線ＳＬは、第１部分１２ａと電気的に接続される。図５に示す信号線ＳＬは、層間絶縁層１３上の領域である第１接続部１５ａ、及び、層間絶縁層１３中の領域である第１接続導電部１５ｃを有している。図５では、信号線ＳＬの一部である第１接続導電部１５ｃが第１部分１２ａと電気的に接続される。
【００６６】
一方、第２部分１２ｂの上に、画素電極Ｐｘと接続する引出電極が設けられる。当該引出電極は、層間絶縁層１３上の領域である第２接続部１５ｂ、及び、層間絶縁層１３中の領域である第２接続導電部１５ｄを有している。図５では、第２接続導電部１５ｄが第２部分１２ｂと電気的に接続される。
【００６７】
信号線ＳＬの一部である第１接続部１５ａ及び第１接続導電部１５ｃ、並びに、引出電極の一部である第２接続部１５ｂ及び第２接続導電部１５ｄには、第２金属層が用いられる。第２金属層には、例えば、Ａｌ（アルミニウム）及びＣｕ（銅）の少なくともいずれかが用いられる。たとえば、第２金属層は、Ａｌを含む。
【００６８】
信号線ＳＬの第１接続部１５ａと半導体層１２との間、、引出電極の第２接続部１５ｂと半導体層１２との間に、層間絶縁層１３が設けられる。なお上述のように、第１接続導電部１５ｃ及び第２接続導電部１５ｄは層間絶縁層１３中に設けられている。
【００６９】
層間絶縁層１３には、例えば、酸化物や窒化物などが用いられる。層間絶縁層１３には、例えば、シリコン酸化物、シリコン窒化物及びシリコン酸窒化物の少なくともいずれかが用いられる。
【００７０】
図５では、コモン線ＣＬが、信号線ＳＬなどの第２金属層の上に設けられる。コモン線ＣＬと信号線ＳＬとの間には、第１絶縁層Ｉ１が設けられる。第１絶縁層Ｉ１は、複数の信号線ＳＬと複数のコモン線ＣＬとの間に設けられる。
【００７１】
第１絶縁層Ｉ１は、例えば、平坦化層として機能する。例えば、第１絶縁層Ｉ１は、有機材料を含む。第１絶縁層Ｉ１は、例えば、アクリル樹脂及びポリイミド樹脂の少なくともいずれかを含む。第１絶縁層Ｉ１として、有機材料を用いることで、高い平坦性が得られる。なお、第１絶縁層Ｉ１として、有機材料に代えて、無機材料を用いてもよい。
【００７２】
コモン線ＣＬの上に、画素電極Ｐｘが設けられる。図５では、画素電極Ｐｘは、櫛状であり、画素電極Ｐｘは、複数の部分Ｐｘｓを含む。複数の部分Ｐｘｓは、Ｘ−Ｙ平面内で互いに離間する。画素電極Ｐｘは、第２接続部１５ｂと電気的に接続される。図５では、画素電極Ｐｘの一部である第３接続導電部１７が、第２接続部１５ｂと電気的に接続されている。
【００７３】
コモン線ＣＬ及び画素電極Ｐｘの少なくともいずれかには、例えば、光透過性の導電層が用いられる。例えば、コモン線ＣＬ及び画素電極Ｐｘの少なくともいずれかには、Ｉｎ、Ｓｎ、Ｚｎ及びＴｉよりなる群から選択された少なくともいずれかの元素を含む酸化物が用いられる。コモン線ＣＬ及び画素電極Ｐｘには、例えばＩＴＯ（Indium Tin Oxide）などが用いられる。コモン線ＣＬ及び画素電極Ｐｘとして、例えば、光透過性の、薄い金属層を用いても良い。後述するように、コモン線ＣＬに補助配線を設けても良い。
【００７４】
画素電極Ｐｘとコモン線ＣＬとの間には、第２絶縁層Ｉ２が設けられる。図５では、複数のコモン線ＣＬの少なくとも一部は、複数の画素電極Ｐｘのいずれかの少なくとも一部と、複数の信号線ＳＬのいずれかの少なくとも一部と、の間に配置される。そして、第２絶縁層Ｉ２は、複数のコモン線ＣＬの上記の少なくとも一部と、複数の画素電極Ｐｘのいずれかの上記の少なくとも一部と、の間に配置される。
【００７５】
第２絶縁層Ｉ２には、例えば、第１絶縁層Ｉ１と同じ材料を用いても良いし、別の材料を用いてもよい。第２絶縁層Ｉ２の材料は任意である。
【００７６】
図５では、画素電極Ｐｘの上に第１配向膜１８が設けられる。
【００７７】
第２基板部２０ｕは、Ｚ軸方向において、第１基板部１０ｕと離間する。図５では、第２基板部２０ｕは、第２基板２０と、カラーフィルタ層２５と、第２配向膜２８と、検出線ＲＬ（第４配線Ｌ４）と、を含む。検出線ＲＬは、スイッチ素子１１及び複数の画素電極Ｐｘと離間している。検出線ＲＬと第１基板部１０ｕとの間に、第２基板２０が設けられる。第２基板２０と第１基板部１０ｕとの間に、カラーフィルタ層２５が設けられる。カラーフィルタ層２５と第１基板部１０ｕとの間に、第２配向膜２８が設けられる。
【００７８】
図５では、第２基板２０は、光透過性である。第２基板１０には、例えば、ガラスまたは樹脂が用いられる。
【００７９】
検出線ＲＬの材料として、例えば、光透過性の導電材料を用いる。検出線ＲＬには、Ｉｎ、Ｓｎ、Ｚｎ及びＴｉよりなる群から選択された少なくともいずれかの元素を含む酸化物（例えば、ＩＴＯなど）などが用いられる。検出線ＲＬとして、光透過性の、薄い金属層を用いても良い。また、検出線ＲＬとして、金属配線を用いてもよい。検出線ＲＬとして金属配線を用いた場合は、視認されないように可能な限り細い配線にすることが好ましい。また検出線ＲＬとして金属配線を用いた場合は、当該金属配線どうしの配列、あるいは当該金属配線と後述するカラーフィルタ層２５の配列、あるいは当該金属配線と画素の配列の関係に基づいてモアレが生じるのを抑制する必要がある。当該モアレを抑制するために、当該金属配線の形状を、所定の長さを有する金属片が、隣り合う金属片と所定の角度をもって配置される形状にしてもよい。
【００８０】
カラーフィルタ層２５は、例えば、赤着色層、緑着色層及び青着色層などを含む。なお、本例では、カラーフィルタ層２５と同層に、ＴＦＴを遮光する遮光層ＢＭが形成される。赤着色層、緑着色層及び青着色層のそれぞれは、複数の画素３５のそれぞれに対応して配置される。カラーフィルタ層２５の色は、４色以上でも良い。実施形態において、カラーフィルタ層２５は省略しても良い。カラーフィルタ層２５は、第１基板部１０ｕに設けられても良い。
【００８１】
第１配向膜１８及び第２配向膜２８には、例えば、ポリイミドなどが用いられる。これらの配向膜には、必要に応じて配向処理（例えばラビング処理など）が行われる。あるいは、当該配向膜は、光配向膜を用いてもよい。このような光配向膜として、例えばポリイミド前駆体から形成される光配向膜が挙げられる。
【００８２】
第１基板部１０ｕと第２基板部２０ｕとの間に、表示層３０が設けられる。表示層３０は、複数の画素電極Ｐｘと、複数の検出線ＲＬと、の間に配置される。例えば、第１配向膜１８と第２配向膜２８との間に、表示層３０が配置される。
【００８３】
図５では、第１偏光層５１と第２偏光層５２とが設けられる。第１偏光層５１と第２偏光層５２との間に、第１基板部１０ｕが配置される。第１基板部１０ｕと第２偏光層５２との間に、第２基板部２０ｕが配置される。
【００８４】
図５では、バックライト部５５がさらに設けられる。バックライト部５５と第２偏光層５２との間に第１偏光層５１、第１基板部１０ｕ、表示層３０及び第２基板部２０ｕが配置される。バックライト部５５は、光を放出する。この光は、第１偏光層５１、第１基板部１０ｕ、表示層３０、第２基板部２０ｕ及び第２偏光層５２を通過して、表示装置１１０の外部に出射する。表示層３０によって変調された光が、画像として視認される。
【００８５】
図５では、画素電極Ｐｘは、複数の部分Ｐｘｓを含む。画素電極Ｐｘと、コモン線ＣＬと、の間に、「横電界」が生じる。横電界は、Ｘ−Ｙ平面に対して平行な成分を有する電界である。横電界により、表示層３０（液晶層）の液晶分子のダイレクタ（液晶分子の長軸方向）を、Ｘ−Ｙ平面内で変化させる。ダイレクタの方向の変化により、例えば、複屈折率及び旋光性の少なくともいずれかが変化する。すなわち、光学特性の変化が生じる。偏光層を用いることで、光学特性の変化が透過率の変化に変換される。
【００８６】
光学特性の変化により、バックライト部５５から出射した光の透過率が変化する。画素電極Ｐｘに与えられる電気信号（画像信号）に応じて、光の透過率が変化し、すなわち、明るさが変化する。明るさが変化した光が、表示装置１１０の上面Ｕｆから出射する。これにより、表示が行われる。
【００８７】
一方、上述のように、複数の検出線ＲＬと、複数のコモン線ＣＬにより形成される静電容量の変化により、表示装置１１０の上面Ｕｆへのタッチ入力が検出される。なお、複数の検出線ＲＬ及び観視者の指または入力部材などとの間に形成される電界、並びに、複数のコモン線ＣＬ及び観視者の指または入力部材などとの間に形成される電界の少なくとも一方を検知するにより、タッチ入力を検出してもよい。
【００８８】
駆動部６０の少なくとも一部は、第１基板部１０ｕに設けられる。駆動部６０の少なくとも一部は、表示装置の駆動装置に含まれても良い。駆動装置の少なくとも一部が、駆動部６０に含まれても良い。
【００８９】
以下、表示装置１１０における駆動素子７１及び回路部７５の例について、説明する。
【００９０】
図６は、第１の実施形態に係る表示装置を例示する模式図である。  
図６は、表示装置１１０の一部を例示している。
【００９１】
図６に示すように、複数の第１配線Ｌ１（ゲート線ＧＬ）は、第ｉゲート線Ｇａｔｅ＜ｉ＞と、第（ｉ＋１）ゲート線Ｇａｔｅ＜ｉ＋１＞と、を含む。
【００９２】
図６では、例えば、赤（Ｒ）、緑（Ｇ）及び青（Ｂ）に対応する画素電極Ｐｘが配置される表示装置を示している。
【００９３】
複数の第２配線Ｌ２（信号線ＳＬ）は、第１信号線Ｓｌ１を含む。第１信号線Ｓｌ１は、例えば、第１色画素（例えばＲ色画素）に対応する。この例では、複数の第２配線Ｌ２は、第２信号線Ｓｌ２及び第３信号線Ｓｌ３をさらに含む。第２信号線Ｓｌ２は、例えば、第２色画素（例えばＧ画素）に対応する。第３信号線Ｓｌ３は、例えば、第３色画素（例えばＢ画素）に対応する。
【００９４】
複数の第３配線Ｌ３（コモン線ＣＬ）は、第１コモン線Ｃｌ１を含む。
【００９５】
第２駆動回路６２（駆動部６０）は、第１ソース回路ＳＣ１と、第２ソース回路ＳＣ２と、を含む。これらのソース回路は、画像信号の少なくとも一部となる電気信号を出力可能である。これらのソース回路は、ソースアンプである。例えば、これらのソース回路は、駆動素子７１（第１駆動部６２ａ）に含まれる。
【００９６】
第２駆動回路６２は、検知電位線ＳＶｌと、第１検知電位スイッチＳＶＳ１と、第２検知電位スイッチＳＶＳ２と、第１接地電位スイッチＳＶＳＧ１と、第２接地電位スイッチＳＶＳＧ２と、第１ソーススイッチＳＳ１と、第２ソーススイッチＳＳ２と、をさらに含む。これらのスイッチは、例えば、回路部７５に含まれる。すなわち、これらのスイッチが、駆動素子７１と第１基板１０との間に設けられる。回路部７５には、例えば、表示部ＤＰに含まれるスイッチ素子１１の半導体層１２が用いられる。回路部７５には、既に説明した第１金属層及び第２金属層の少なくともいずれかに用いられる材料が用いられる。なお、図６では、第１検知電位スイッチＳＶＳ１及び第２検知電位スイッチＳＶＳ２としてｐチャネル型トランジスタ、第１接地電位スイッチＳＶＳＧ１及び第２接地電位スイッチＳＶＳＧ２としてｎチャネル型トランジスタの例を示している。図６の例に限定されない。第１検知電位スイッチＳＶＳ１、第２検知電位スイッチＳＶＳ２、第１接地電位スイッチＳＶＳＧ１、及び第２接地電位スイッチＳＶＳＧ２として、別の構成を有するスイッチを用いてもよい。
【００９７】
すなわち、回路部７５は、スイッチを含み、スイッチは、スイッチ素子１１に含まれる半導体層１２と同じ材料を含む。回路部７５は、第１配線Ｌ１乃至第３配線Ｌ３の少なくともいずれかに含まれる金属層と同じ材料を含む。
【００９８】
第２駆動回路６２は、表示対向電位線ＣＯＭｌと、第１信号線スイッチＳｌＳ１と、第２信号線スイッチＳｌＳ２と、第３信号線スイッチＳｌＳ３と、第１コモンスイッチＣＳ１と、第２コモンスイッチＣＳ２と、第３コモンスイッチＣＳ３と、第４コモンスイッチＣＳ４と、を含む。例えば、これらのスイッチと、回路部７５と、が第２駆動部６２ｂに含まれる。
【００９９】
表示対向電位線ＣＯＭｌは、表示対向電位ＣＯＭＤＣに設定される。表示対向電位ＣＯＭＤＣは、例えば、０ボルト（例えば接地電位）〜−１ボルトである。当該電位の値は例であり、実施形態は、これに限定されない。
【０１００】
検知電位線ＳＶｌは、表示対向電位ＣＯＭＤＣとは異なる電位（例えば、タッチ動作電位ＴＰＨ）に設定される。タッチ動作電位ＴＰＨ（検知電位）は、例えば、４ボルト〜１０ボルトである。当該電位の値は例であり、実施形態は、これに限定されない。
【０１０１】
第１検知電位スイッチＳＶＳ１の一端は、検知電位線ＳＶｌ（タッチ動作電位ＴＰＨ）と電気的に接続される。
【０１０２】
第１接地電位スイッチＳＶＳＧ１の一端は、第１検知電位スイッチＳＶＳ１の他端ＳＯ１と電気的に接続される。第１接地電位スイッチＳＶＳＧ１の他端は、接地電位ＧＮＤに電気的に接続される。接地電位ＧＮＤは、検知電位とは異なる電位である。
【０１０３】
第２検知電位スイッチＳＶＳ２の一端は、検知電位線ＳＶｌと電気的に接続される。
【０１０４】
第２接地電位スイッチＳＶＳＧ２の一端は、第２検知電位スイッチＳＶＳ１の他端ＳＯ２と電気的に接続される。第１接地電位スイッチＳＶＳＧ２の他端は、接地電位ＧＮＤに接続される。
【０１０５】
第１ソーススイッチＳＳ１の一端（端子ＤＤＩ−ＯＵＴ）は、第１検知電位スイッチＳＶＳ１の他端ＳＯ１に接続される。第１ソーススイッチＳＳ１の他端は、第１ソース回路ＳＣ１の出力、または、第２ソース回路ＳＣ２の出力と接続される。すなわち、第１ソーススイッチＳＳ１は、第１検知電位スイッチＳＶＳ１の他端ＳＯ１が第１ソース回路ＳＣ１の出力に接続される状態、及び、第１検知電位スイッチＳＶＳ１の他端ＳＯ１が第２ソース回路ＳＣ２の出力に接続される状態を切り替えて形成する。
【０１０６】
第２ソーススイッチＳＳ２の一端は、第２検知電位スイッチＳＶＳ２の他端ＳＯ２に接続される。第２ソーススイッチＳＳ２の他端は、第２ソース回路ＳＣ２の出力、または、第１ソース回路ＳＣ１の出力と接続される。すなわち、第２ソーススイッチＳＳ２は、第２検知電位スイッチＳＶＳ２の他端ＳＯ２が第２ソース回路ＳＣ２の出力に接続される状態、及び、第２検知電位スイッチＳＶＳ２の他端ＳＯ２が第１ソース回路ＳＣ１の出力に接続される状態を切り替えて形成する。
【０１０７】
第１信号線スイッチＳｌＳ１の一端は、第１信号線Ｓｌ１と電気的に接続される。第１信号線スイッチＳｌＳ１の他端は、第１検知電位スイッチＳＶＳ１の他端ＳＯ１と電気的に接続される。
【０１０８】
第２信号線スイッチＳｌＳ２の一端は、第２信号線Ｓｌ２と電気的に接続される。第２信号線スイッチＳｌＳ２の他端は、第２検知電位スイッチＳＶＳ２の他端ＳＯ１と電気的に接続される。
【０１０９】
第３信号線スイッチＳｌＳ３の一端は、第３信号線Ｓｌ３と電気的に接続される。第３信号線スイッチＳｌＳ３の他端は、第１検知電位スイッチＳＶＳ１の他端ＳＯ１（すなわち第１信号線スイッチＳｌＳ１の他端）と電気的に接続される。
【０１１０】
第１コモンスイッチＣＳ１の一端は、表示対向電位線ＣＯＭｌと電気的に接続される。第１コモンスイッチＣＳ１の他端は、第１コモン線Ｃｌ１と電気的に接続される。
【０１１１】
第２コモンスイッチＣＳ２の一端は、第１検知電位スイッチＳＶＳ１の他端ＳＯ１（すなわち第１信号線スイッチＳｌＳ１の他端）と電気的に接続される。第２コモンスイッチＣＳ２の他端は、第１コモン線Ｃｌ１と電気的に接続される。
【０１１２】
第３コモンスイッチＣＳ３の一端は、表示対向電位線ＣＯＭｌと電気的に接続される。第３コモンスイッチＣＳ１の他端は、第１コモン線Ｃｌ１と電気的に接続される。
【０１１３】
第４コモンスイッチＣＳ４の一端は、第２検知電位スイッチＳＶＳ２の他端ＳＯ２（すなわち第２信号線スイッチＳｌＳ２の他端）と電気的に接続される。第４コモンスイッチＣＳ４の他端は、第１コモン線Ｃｌ１と電気的に接続される。
【０１１４】
例えば、第１信号線スイッチＳｌＳ１、第２信号線スイッチＳｌＳ２及び第３信号線スイッチＳｌＳ３は、セレクタスイッチＳＥＬ＿ＳＷに含まれる。
【０１１５】
例えば、第１コモンスイッチＣＳ１、第２コモンスイッチＣＳ２、第３コモンスイッチＣＳ３及び第４コモンスイッチＣＳ４は、コモンセレクタＣＯＭ＿ＳＥＬに含まれる。
【０１１６】
図６においては、別のコモンセレクタＣＯＭ＿ＳＥＬ０が設けられている。コモンセレクタＣＯＭ＿ＳＥＬ０と、セレクタスイッチＳＥＬ＿ＳＷと、の間に、ゲート線ＧＬが配置される。コモンセレクタＣＯＭ＿ＳＥＬ０は、コモン線ＣＬのそれぞれ（例えば第１コモン線Ｃｌ１）を、表示対向電位ＣＯＭＤＣ及び配線ＣＣのいずれかに電気的に接続する。コモンセレクタＣＯＭ＿ＳＥＬ０、及び、配線ＣＣは、第３駆動部６２ｃに含まれる。
【０１１７】
このように、駆動部６０は、表示対向電位ＣＯＭＤＣに設定される表示対向電位線ＣＯＭｌと、セレクタスイッチＳＥＬ＿ＳＷと、コモンセレクタＣＯＭ＿ＳＥＬと、を含む。回路部７５の一端は、駆動素子７１と電気的に接続される。回路部７５の他端は、セレクタスイッチＳＥＬ＿ＳＷ及びコモンセレクタＣＯＭ＿ＳＥＬと電気的に接続される。
【０１１８】
これらの回路によって、表示装置１１０において、第１動作と、第２動作と、が実施される。第１動作は、例えば、表示動作である。第２動作は、非表示動作である。第２動作は、例えば、入力検知動作である。
【０１１９】
図６は、表示装置１１０における第１動作ＯＰ１を例示している。  
図６に示すように、第１動作ＯＰ１においては、セレクタスイッチＳＥＬ＿ＳＷは、回路部７５と、複数の第２配線Ｌ２（信号線ＳＬ）のそれぞれと、を電気的に接続する。図６においては、第１信号線スイッチＳｌＳ１及び第２信号線スイッチＳｌＳ２は導通状態であり、第３信号線スイッチＳｌＳ３は非導通状態である。
コモンセレクタＣＯＭ＿ＳＥＬは、表示対向電位線ＣＯＭｌと、複数の第３配線Ｌ３（コモン線ＣＬ）のそれぞれと、を電気的に接続する。これにより、所望の画像信号を含む電気信号が、駆動素子７１から信号線ＳＬに供給される。そして、信号線ＳＬに供給された画像信号に基づく信号が画素電極Ｐｘに供給され。画素電極Ｐｘとコモン線ＣＬとの間に生じる電位差に応じた表示が表示層３０において行われる。図６においては、第１コモンスイッチＣＳ１及び第３コモンスイッチＣＳ３は導通状態であり、第２コモンスイッチＣＳ２及び第４コモンスイッチＣＳ４は非導通状態である。
なお、動作ごとのスイッチの導通状態又は非導通状態のタイミングについては後述する。
【０１２０】
第１動作ＯＰにおいては、表示期間において、複数の第１配線Ｌ１のいずれか及び複数の第２配線Ｌ２のいずれかに接続された複数のスイッチ素子１１のうちのいずれかを選択する。選択されたスイッチ素子１１は、選択スイッチ素子１１ｓｅｌとされる。そして、複数の画素電極Ｐｘのうちの、選択スイッチ素子１１ｓｅｌと電気的に接続された画素電極（選択画素電極Ｐｘｓｅｌ）に画像電位を印加する。一方、複数の第３配線Ｌ３の少なくともいずれかに表示対向電位ＣＯＭＤＣを印加する。第１動作ＯＰにおいては、複数の第１配線Ｌ１のいずれかを選択電位に設定しつつ複数の第２配線Ｌ２に画像信号を供給する。複数のスイッチ素子１１は、選択スイッチ素子１１ｓｅｌを含む。選択スイッチ素子１１ｓｅｌは、複数のスイッチ素子１１のうちの、上記の選択電位が設定された第１配線Ｌ１と電気的に接続されている。複数の画素電極Ｐｘは、選択画素電極Ｐｘｓｅｌを含む。選択画素電極Ｐｘｓｅｌは、選択スイッチ素子１１ｓｅｌと電気的に接続されている。そして、選択画素電極Ｐｘｓｅｌが画像信号に基づく画像電位に設定される。一方、複数の第３配線Ｌ３の少なくともいずれかを表示対向電位ＣＯＭＤＣに設定する。これにより表示が行われる。
【０１２１】
図７は、第１の実施形態に係る表示装置を例示する模式図である。  
図７は、表示装置１１０の一部を例示している。図７は、表示装置１１０における第２動作ＯＰ２の状態を例示している。  
図７に示すように、第２動作ＯＰ２においては、第１ソーススイッチＳＳ１及び第２ソーススイッチＳＳ２は、どの配線とも接続されていない。そのため、回路部７５は、駆動素子７１を複数の第２配線ＳＬ（信号線ＳＬ）のそれぞれと電気的に遮断される。  
そして、コモンセレクタＣＯＭ＿ＳＥＬは、複数の第３配線Ｌ３（コモン線ＣＬ）の少なくともいずれかと複数の第２配線Ｌ２（信号線ＳＬ）の少なくともいずれかとを電気的に接続する。図７では、コモンセレクタＣＯＭ＿ＳＥＬの第２コモンスイッチＣＳ２が導通状態であり、第１信号線スイッチＳｌＳ１及び第３信号線スイッチＳｌＳ３は導通状態である例を示している。これにより、第２動作ＯＰにおいては、第２配線Ｌ２が第３配線Ｌ３の電位と同じ電位に設定される。  
以上により、第２動作ＯＰにおいて、第２配線Ｌ２と第３配線Ｌ３との間に容量が実質的に形成されない。例えば、第３配線Ｌ３と第４配線Ｌ４とを用いた検出動作を行うときに、負荷容量が小さくでき、高速の動作が可能になる。
【０１２２】
本実施形態によれば、図１及び図２の説明で述べたように、回路部７５が駆動素子７１の下に配置されるため、周辺領域１０Ｐの面積が小さくでき、装置を小型化できる。
【０１２３】
図８は、第１の実施形態に係る表示装置の第１動作を例示する模式図である。  
図８は、第１動作ＯＰ１のタイミングチャートを例示している。図８の横軸は、時間である。
【０１２４】
図８に示すように、表示期間ＤＴにおいて、第１動作ＯＰ１が実施される。例えば、表示期間ＤＴは、第１表示期間ＤＴ１〜第ｋ表示期間を有する。第１表示期間ＤＴ１において、第１〜第ｋゲート線ＧＬが順次選択され、走査される。第２表示期間（図示しない）において、第（ｋ＋１）ゲート線ＧＬ〜第２ｋゲート線ＧＬが、順次選択され、走査される。図８においては、第１表示期間ＤＴ１に含まれる、第ｉゲート線Ｇａｔｅ＜ｉ＞の走査期間（１Ｈ）と、第（ｉ＋１）ゲート線Ｇａｔｅ＜ｉ＋１＞の走査期間（１Ｈ）と、が図示されている。
【０１２５】
この例では、端子ＤＤＩ−ＯＵＴの出力は、例えば、第１ソース回路ＳＣ１の出力に対応する。
【０１２６】
信号ＳＥＬ１は、第１信号線スイッチＳｌＳ１の導通状態又は非導通状態を決定する信号である。第２信号線スイッチＳｌＳ２の信号は、第１信号線スイッチＳｌＳ２の信号と同じである。信号ＳＥＬ２は、第３信号線スイッチＳｌＳ３の信号である。これらの信号において、ハイ状態「Ｈ」において、これらのスイッチが導通状態となる。ロー状態「Ｌ」において、これらのスイッチにおいて非導通（遮断）状態となる。
【０１２７】
コモンセレクタＣＯＭ＿ＳＥＬのうちの第１コモンスイッチＣＳ１乃至第４コモンスイッチＣＳ４において、ハイ状態「Ｈ」において、これらのコモンスイッチが電気的に導通する。ロー状態「Ｌ」において、これらのコモンスイッチが電気的に非導通（遮断）状態となる。
【０１２８】
第１動作ＯＰ１（表示動作）において、第ｉゲート線Ｇａｔｅ＜ｉ＞、及び、第（ｉ＋１）ゲート線Ｇａｔｅ＜ｉ＋１＞がハイ状態「Ｈ」のとき、スイッチ素子１１が電気的に導通状態になる。ロー状態「Ｌ」において、スイッチ素子１１が非導通（遮断）状態となる。
【０１２９】
例えば、１つの１Ｈの期間において、第ｉゲート線Ｇａｔｅ＜ｉ＞が導通状態となる。１Ｈの期間の始まりと、ゲート線の導通状態との始まりと、の間の時間は、時間ｔ１２である。この後、時間ｔ１３の導通状態が設けられる。別の１つの１Ｈの期間において、第（ｉ＋１）ゲート線Ｇａｔｅ＜ｉ＋１＞が導通状態となる。
【０１３０】
１Ｈの期間の中の時間ｔ１において、第１ソース回路ＳＣ１は、画像信号１ｓｅｌを出力する。時間ｔ１の後の時間ｔ２（高抵抗状態Ｈｉ−Ｚ（ハイインピーダンス）の期間）において、第１ソース回路ＳＣ１は、画像信号の出力を休止する。時間ｔ２の後の時間ｔ３において、第１ソース回路ＳＣ１は、画像信号２ｓｅｌを出力する。時間ｔ３の後の時間（高抵抗状態Ｈｉ−Ｚの状態）において、第１ソース回路ＳＣ１は、画像信号の出力を休止する。
【０１３１】
第１信号線スイッチＳｌＳ１及び第２信号線スイッチＳｌＳ２は、時間ｔ５において、ハイ状態「Ｈ」となる。時間ｔ１の始まりと、時間ｔ５の始まりと、の間の時間は、時間ｔ４である。第１信号線スイッチＳｌＳ１及び第２信号線スイッチＳｌＳ２は、時間ｔ２及び時間ｔ３においては、ロー状態「Ｌ」である。
【０１３２】
第３信号線スイッチＳｌＳ３は、時間ｔ１において、ロー状態「Ｌ」である。時間ｔ１の始まりと、時間ｔ５の始まりと、の間の時間は、時間ｔ４である。第３信号線スイッチＳｌＳ３は、時間ｔ７において、ハイ状態「Ｈ」となる。時間ｔ１の始まりと、時間ｔ７の始まりと、の間の時間は、時間ｔ６である。
【０１３３】
一方、第１コモンスイッチＣＳ１及び第３コモンスイッチＣＳ３は、ハイ状態「Ｈ」である。一方、第２コモンスイッチＣＳ２及び第４コモンスイッチＣＳ４は、ロー状態「Ｌ」である。
【０１３４】
すなわち、第１動作ＯＰ１（表示動作）において、以下が実施される。  
第１検知電位スイッチＳＶＳ１は、第１信号線スイッチＳｌＳ１の他端を検知電位線ＳＶｌと電気的に遮断する。  
第１接地電位スイッチＳＶＳＧ１は、第１信号線スイッチＳｌＳ１の他端を接地電位ＧＮＤと電気的に遮断する。  
第１ソース回路ＳＣ１は、画像信号の一部の信号を出力する。  
第１ソーススイッチＳＳ１は、第１ソース回路ＳＣ１と、第１信号線スイッチＳｌＳ１の他端と、を電気的に接続する。  
第１信号線スイッチＳｌＳ１は、第１ソーススイッチＳＳ１の他端と、第１信号線Ｓｌ１と、を電気的に接続する。  
第１コモンスイッチＣＳ１は、第１コモン線Ｃｌ１と、表示対向電位線ＣＯＭｌと、を電気的に接続する。  
第２コモンスイッチＣＳ２は、第１コモン線Ｃｌ１を第１信号線Ｓｌ１と電気的に遮断する。  
これにより、第１信号線Ｓｌ１に対応する画素３５において、所望の表示が行われる。
【０１３５】
このとき、第３信号線スイッチＳｌＳ３は、第３信号線Ｓｌ１を第１ソーススイッチＳＳ１の他端と電気的に遮断する。
【０１３６】
第１動作ＯＰ１において、さらに以下が行われる。  
第２検知電位スイッチＳＶＳ２は、第２信号線スイッチＳｌＳ２の他端を検知電位線ＳＶｌと電気的に遮断する。  
第２接地電位スイッチＳＶＳＧ２は、第２信号線スイッチＳｌＳ２の他端を接地電位ＧＮＤと電気的に遮断する。  
第２ソース回路ＳＣ２は、画素信号の一部を出力する。第２ソース回路ＳＣ２から出力される信号は、例えば、第１ソース回路ＳＣ１から出力される信号とは異なる。例えば、第２ソース回路ＳＣ２から出力される信号の極性は、第１ソース回路ＳＣ１から出力される信号の極性とは逆である。  
第２ソーススイッチＳＳ２は、第２ソース回路ＳＣ２と、第２信号線スイッチＳｌＳ２の他端と、を電気的に接続する。  
第２信号線スイッチＳｌＳ２は、第２ソーススイッチＳＳ２の他端と、第２信号線Ｓｌ２とを電気的に接続する。  
第３コモンスイッチＣＳ３は、第１コモン線Ｃｌ１と、表示対向電位線ＣＯＭｌと、を電気的に接続する。
【０１３７】
第４コモンスイッチＣＳ４は、第１コモン線Ｃｌ１を第２信号線Ｓｌ２と電気的に遮断する。  
これにより、第２信号線Ｓｌ２に対応する画素３５において、所望の表示が行われる。
【０１３８】
また、第３信号線Ｓｌ３に対応する画素電極Ｐｘにおいて表示を行う場合（時間ｔ７の期間）は、以下を行う。  
第３信号線スイッチＳｌＳ３は、第３信号線Ｓｌ３と、第１ソーススイッチＳＳ１の他端と、を電気的に接続する。  
第１信号線スイッチＳｌＳ１は、第１信号線Ｓｌ１と、第１ソーススイッチＳＳ１の他端と、を電気的に接続する。
【０１３９】
これにより、第３信号線Ｓｌ３に対応する画素３５において、所望の表示が行われる。
【０１４０】
図９は、第１の実施形態に係る表示装置の第２動作を例示する模式図である。  
図９は、表示装置１１０の第２動作ＯＰ２（非表示動作）のタイミングチャートを例示している。図８の横軸は、時間である。本実施の形態では、第２動作ＯＰ２では、検出動作が行われる。  
図９に示すように、第２動作ＯＰ２において、以下が行われる。  
端子ＤＤＩ−ＯＵＴは、高抵抗状態Ｈｉ−Ｚとされる。すなわち、第１ソーススイッチＳＳ１は、第１ソース回路ＳＣ１を第１信号線スイッチＳｌＳ１の他端と電気的に遮断する。第２ソーススイッチＳＳ２は、第２ソース回路ＳＣ２を第２信号線スイッチＳｌＳ２の他端と電気的に遮断する。
【０１４１】
図９に例示するコモンセレクタ信号ＶＣＯＭＳＥＬは、例えば、第１コモンスイッチＣＳ１〜第４コモンスイッチＣＳ４を制御する信号である。コモンセレクタ信号ＶＣＯＭＳＥＬがハイ状態「Ｈ」のときに、第１コモンスイッチＣＳ１及び第３コモンスイッチＣＳ３は、非導通状態となる。コモンセレクタ信号ＶＣＯＭＳＥＬがロー状態「Ｌ」のときに、第２コモンスイッチＣＳ２及び第４コモンスイッチＣＳ４は、導通状態となる。
【０１４２】
図９に例示する信号ＴＳＶＣＯＭは、第１検知電位スイッチＳＶＳ１、第１接地電位スイッチＳＶＳＧ１、第２検知電位スイッチＳＶＳ２及び第２接地電位スイッチＳＶＳＧ２の導通状態を制御する信号である。信号ＴＳＶＣＯＭがハイ状態「Ｈ」のときに、検知電位スイッチ及び接地電位スイッチのいずれか一方が、導通状態となる。信号ＴＳＶＣＯＭがロー状態「Ｌ」のときに、検知電位スイッチ及び接地電位スイッチのいずれか他方が、導通状態となる。
【０１４３】
例えば、信号ＴＳＶＣＯＭによる制御により、第１検知電位スイッチＳＶＳ１及び第１接地電位スイッチＳＶＳＧ１は、第１信号線Ｓｌ１の他端を、検知電位線ＳＶｌ及び接地電位ＧＮＤのいずれかに電気的に接続する。  
第１信号線スイッチＳｌＳ１は、第１信号線Ｓｌ１を第１検知電位スイッチＳＶＳ１の他端ＳＯ１と電気的に接続する。
【０１４４】
第１コモンスイッチＣＳ１は、第１コモン線Ｃｌ１を表示対向電位線ＣＯＭｌと電気的に遮断する。
【０１４５】
第２コモンスイッチＣＳ２は、第１コモン線Ｃｌ１を第１検知電位スイッチＳＶＳ１の他端ＳＯ１（すなわち、第１信号線Ｓｌ１）と電気的に接続する。
【０１４６】
例えば、第１検知電位スイッチＳＶＳ１及び第１接地電位スイッチＳＶＳＧ１により、ハイレベル電位（例えばＴＰＨ）とローレベル電位（例えばＧＮＤ）とが第１コモン線Ｃｌ１に交互に繰り替えし印加される。そして、複数の第４配線Ｌ４と第１コモン線Ｃｌ１との間に流れる電流が検出される。  
これにより、第１コモン線Ｃｌ１を用いた検出が行われる。
【０１４７】
さらに、第２動作ＯＰ２において、以下が行われる。  
第２検知電位スイッチＳＶＳ２及び第２接地電位スイッチＳＶＳＧ２は、第２信号線Ｓｌ２の他端を、検知電位線ＳＶｌ及び接地電位ＧＮＤのいずれかに電気的に接続する。  
第２信号線スイッチＳｌＳ２は、第２信号線Ｓｌ２を第２検知電位スイッチＳＶＳ２の他端ＳＯ２と電気的に接続する。
【０１４８】
第３コモンスイッチＣＳ３は、第１コモン線Ｃｌ１を表示対向電位線ＣＯＭｌと電気的に遮断する。
【０１４９】
第４コモンスイッチＣＳ４は、第１コモン線Ｃｌ１を第２検知電位スイッチＳＶＳ２の他端ＳＯ２（すなわち、第１信号線Ｓｌ１）と電気的に接続する。
【０１５０】
さらに、第２動作ＯＰ２において、以下が行われる。  
第３信号線スイッチＳｌＳ３は、第３信号線Ｓｌ３を第１検知電位スイッチＳＶＳ１の他端ＳＯ１と電気的に接続する。
【０１５１】
これにより、第２動作ＯＰ２において、第１信号線Ｓｌ１と、第２信号線Ｓｌ２と、第３信号線Ｓｌ３と、第１コモン線Ｃｌ１と、が互いに実質的に同じ電位になる。この状態で、タッチ入力の検知が行われる。
【０１５２】
図９に例示するように、非表示期間ＮＤＴの始まりと、信号ＳＥＬ１及び信号ＳＥＬ２におけるハイ状態「Ｈ」の始まりと、の間の時間は、時間ｔ３１である。時間ｔ３２の期間において、これらの信号は、ハイ状態「Ｈ」である。
【０１５３】
非表示期間ＮＤＴの始まりと、コモンセレクタ信号ＶＣＯＭＳＥＬにおけるハイ状態「Ｈ」の始まりと、の間の時間は、時間ｔ３８である。その後の時間ｔ３９の間において、コモンセレクタ信号ＶＣＯＭＳＥＬは、ハイ状態「Ｈ」である。
【０１５４】
信号ＴＳＶＣＯＭは、非表示期間ＮＤＴにおいて、ハイ状態「Ｈ」と、ロー状態「Ｌ」と、を交互に繰り返す。ハイ状態「Ｈ」の時間は、時間ｔ４１である。ロー状態「Ｌ」の時間は、時間ｔ４２である。非表示期間ＮＤＴの始まりと、信号ＴＳＶＣＯＭの最初のハイ状態「Ｈ」の始まりと、の間の時間は、時間ｔ４０である。
【０１５５】
上述の第１動作ＯＰ１は、例えば制御部６３により行われる。制御部６３は、回路部７５と駆動素子７１とに電気的に接続されている。制御部６３は、回路部７５及び駆動素子７１に、第１動作ＯＰと後述する第２動作ＯＰ２とを実施させる。
【０１５６】
第１動作ＯＰにおいては、表示期間ＤＴにおいて、以下が行われる。複数の第１配線Ｌ１のいずれかを選択電位に設定しつつ複数の第２配線Ｌ２に画像信号を供給し、選択画素電極Ｐｘｓｅｌを画像信号に基づく画像電位に設定し、複数の第３配線Ｌ３の少なくともいずれかを表示対向電位ＣＯＭＤＣに設定する。
【０１５７】
一方、第２動作ＯＰ２は、非表示期間ＮＤＴにおいて、複数の第２配線Ｌ２の少なくともいずれかの電位を、複数の第３配線Ｌ３のいずれかの電位と同じにする。第２配線Ｌ２と第３配線Ｌ３とが互いに同じ状態が形成される。この状態の形成に、例えば、コモンセレクタＣＯＭ＿ＳＥＬが用いられる。
【０１５８】
図１０及び図１１は、第１の実施形態に係る表示装置を例示する回路図である。  
図１０は、第１動作ＯＰ１に対応し、図１１は、第２動作ＯＰ２に対応する。  
図１０及び図１１に示すように、本実施形態に係る表示装置１１１においては、第１回路３１１と、第２回路３１２と、を含む。第１回路３１１及び第２回路３１２のそれぞれは、シフトレジスタとバッファを含む。
【０１５９】
第１回路３１１から出力される第１出力信号３１１ａは、第１スイッチ３１３ａの導通状態及び非導通状態を制御する。  
第１回路３１１から出力される第２出力信号３１１ｂは、第２スイッチ３１４ａの導通状態及び非導通状態を制御する。  
第２回路３１２から出力される第３出力信号３１２ａは、第３スイッチ３１３ｂの導通状態及び非導通状態を制御する。  
第２回路３１２から出力される第４出力信号３１２ｂは、第４スイッチ３１４ｂの導通状態及び非導通状態を制御する。
なお下記では、スイッチに入力される信号がハイ状態「Ｈ」のときスイッチは導通状態、スイッチに入力される信号がロー状態「Ｌ」のときスイッチは非導通状態である例について述べている。これに限定されない。入力される信号がロー状態「Ｌ」のとき導通状態となり、入力される信号がハイ状態「Ｈ」のとき非導通状態であるスイッチを用いてもよい。
【０１６０】
第１スイッチ３１３ａは、例えば、第１接地電位スイッチＳＶＳＧ１に対応する。  
第２スイッチ３１４ａは、例えば、第１検知電位スイッチＳＶＳ１に対応する。  
第３スイッチ３１３ｂは、例えば、第２接地電位スイッチＳＶＳＧ２に対応する。  
第４スイッチ３１４ｂは、例えば、第２検知電位スイッチＳＶＳ２に対応する。
第１スイッチ３１３ａの一端は、配線ＴＳＩＧ１、ＴＳＩＧ２及びＴＳＩＧ３１などのいずれかの配線に接続される。これらの配線は、所定の電位、例えば接地電位ＧＮＤに設定される。第１スイッチ３１３ａの他端は、第２スイッチ３１４ａの一端に接続される。第２スイッチの他端は、配線ＴＳＶＣＯＭ１に接続される。配線ＴＳＶＣＯＭ１は、例えば、図９に示す信号ＴＳＶＣＯＭと同様に設定される。
なお、第１スイッチ３１３ａ、第２スイッチ３１４ａ、第３スイッチ３１３ｂ、第４スイッチ３１４ｂが、図６及び図７に示す回路部７５に相当する。
【０１６１】
第１動作ＯＰ１（表示動作）において、図１０に示すように、第１出力信号３１１ａ及び第２出力信号３１１ｂが入力されたスイッチは、例えば第１出力信号３１１ａ及び第２出力信号３１１ｂがロー状態「Ｌ」のとき非導通状態となる。
図１０に示すように、第１動作ＯＰ１（表示動作）においては、第１スイッチ３１３ａ、第２スイッチ３１４ａ、第３スイッチ３１３ｂ、第４スイッチ３１４ｂはすべて非導通状態となる。またコモンセレクタ信号ＶＣＯＭＳＥＬが入力されるスイッチ３１５は、共通電極直流電位ＶＣＯＭＤＣを与える配線３１６に電気的に接続される。
【０１６２】
第２動作ＯＰ２（例えばタッチ入力の検出動作）において、第１回路３１１に対応する部分が選択されている場合、第１出力信号３１１ａは例えばロー状態であり、第１出力信号３１１ａが入力された第１スイッチ３１３ａは、非導通状態となる。一方、第２出力信号３１１は例えばハイ状態であり、第２出力信号３１１が入力された第２スイッチ３１４ａは導通状態となる。またコモンセレクタ信号ＶＣＯＭＳＥＬが入力されるスイッチ３１５は、信号ＴＳＶＣＯＭを与える配線３１７と電気的に接続される。
【０１６３】
また、第２動作ＯＰ２において、図１１に示すように、第１回路３１１に対応する部分が選択されない場合、第１出力信号３１１ａは例えばハイ状態であり、第１出力信３１１ａが入力される第１スイッチ３１３ａは導通状態となる。一方、第２出力信号３１１は例えばロー状態であり、第２出力信号３１１が入力された第２スイッチ３１４ａは非導通状態となる。またコモンセレクタ信号ＶＣＯＭＳＥＬが入力されるスイッチ３１５は、接地電位ＧＮＤを与える配線ＴＳＩＧ１と電気的に接続される。
【０１６４】
なお、第２回路３１２において、第１動作ＯＰ１、第２動作ＯＰ２において第２回路３１２が選択される場合、第２動作ＯＰで第２回路３１２が選択されない場合については、上述と同様である。
【０１６５】
図１０及び図１１に示す回路構成により、第１動作ＯＰ１と第２動作ＯＰ２が行われる。図１０及び図１１に示す回路構成において、駆動素子７１と第１基板１０（図示せず）との間に、第１スイッチ３１３ａ、第２スイッチ３１４ａ、第３スイッチ３１３ｂ、第４スイッチ３１４ｂ、第１回路３１１及び第２回路３１２が配置されている。これにより表示装置１１１の小型化が可能になる。
【０１６６】
実施形態に係る表示装置１１０（表示装置１１１）においては、第３配線Ｌ３が第２配線Ｌ２に沿っている。このような構造において、第２配線Ｌ２と第３配線Ｌ３とを互いに接続また非接続にするという動作が行われる。このとき、このような動作を行う回路部を、駆動素子７１と重なるように配置する。これにより、小型の表示装置が提供できる。
【０１６７】
表示装置１１１においては、第２動作ＯＰ２（タッチ入力の検出動作）において、信号線ＳＬ（第２配線Ｌ２）に、信号ＴＳＶＣＯＭが供給される。非選択のコモン線ＣＬのブロックは例えば接地電位ＧＮＤが印加される。このときに用いられるコモン線ＣＬと接地電位ＧＮＤとの間のスイッチとして、例えば、第１スイッチ３１３ａ及び第３スイッチ３１３ｂが用いられる。実施形態においては、スキャナを含めた信号ＴＳＶＣＯＭの供給のための経路が、駆動素子７１と重なる。
【０１６８】
上記の例では、第２動作ＯＰ２において、第２配線Ｌ２は第３配線Ｌ３と接続される。実施形態は、これに限らない。第２動作ＯＰ２（非表示期間ＮＤＴ）において、複数の第２配線の少なくともいずれかの電位を浮遊電位としても良い。例えば、第２動作ＯＰ２において、第２配線Ｌ２が第３配線Ｌ３の電位とは異なる電位に固定されると、第２配線Ｌ２と第３配線Ｌ３との間に容量が形成される。このため、第２動作ＯＰ（例えば検出動作）において、第３配線Ｌ３に関する負荷容量が大きくなり、動作速度が低下する。これに対して、第２動作ＯＰ２において、第２配線Ｌ２を浮遊電位とすることで、容量が小さくでき、動作が高速化できる。
例えば、上記の第１スイッチ３１３ａ、第３スイッチ３１３ｂ、配線ＴＳＩＧ１〜配線ＴＳＩＧ３は、テスト信号の入力としても使用することができる。テスト信号を用いて表示部の動作をテストすることができる。例えば、第１信号スイッチ３１３ａ及び第３信号スイッチ３１３ｂをスイッチングさせながら、配線ＴＳＩＧ１〜配線ＴＳＩＧ３に所望の信号を入力する。これにより、テストを行うことができる。駆動素子７１（駆動ＩＣ）を実装する前に、画質の簡単なテストを行うことができる。すなわち、これらの回路が、タッチ検出の動作と共に、テストの動作にも用いられる。
【０１６９】
（第２の実施形態）  
図１２は、第２の実施形態に係る表示装置の一部を例示する模式的断面図である。  
図１２に表したように、本実施形態に係る表示装置１１２においては、カラーフィルタ層２５と、複数の第５配線Ｌ５と、がさらに設けられる。これ以外は、表示装置１１０（表示装置１１１）に関して説明した構成が適用できる。
【０１７０】
カラーフィルタ層２５は、赤色フィルタ層ＲＦと、緑色フィルタ層ＧＦと、青色フィルタ層ＢＦと、を含む。
【０１７１】
カラーフィルタ層２５は、第１境界部ｐ１と、第２境界部ｐ２と、第３境界部ｐ３と、を有する。第１境界部ｐ１は、赤色フィルタ層ＲＦと緑色フィルタ層ＧＦとの間の境界部である。第２境界部ｐ２は、緑色フィルタ層ＧＦと青色フィルタ層ＢＦとの間の境界部である。第３境界部ｐ３は、青色フィルタ層ＢＦと赤色フィルタ層ＲＦとの間の境界部である。
【０１７２】
複数の第５配線Ｌ５は、第２方向（例えば、Ｙ軸方向）に延在する。複数の第５配線Ｌ５のそれぞれは、複数の第３配線Ｌ３のいずれかに電気的に接続されている。複数の第５配線Ｌ５のそれぞれの電気抵抗は、複数の第３配線Ｌ３のそれぞれの電気抵抗よりも低い。第５配線Ｌ５は、第３配線Ｌ３の補助配線となる。
【０１７３】
既に説明したように、第３配線Ｌ３として、光透過性の導電材料が用いられる。一方、第５配線Ｌ５には、低抵抗の材料（金属など）が用いられる。これにより、第３配線Ｌ３の実効的な抵抗が低減できる。クロストークの発生が抑制できる。
【０１７４】
この例では、複数の第５配線Ｌ５は、Ｘ−Ｙ平面に投影したときに、第１境界部ｐ１または第２境界部ｐ２と重なる。第５配線Ｌ５は、第３境界部ｐ３とは重ならなくても良い。
【０１７５】
第５配線Ｌ５の透過率は、比較的低い。第５配線Ｌ５は、遮光膜として機能する。緑は、視感度が高いため、第１境界部ｐ１及び第２境界部ｐ２においては、光漏れが生じる可能性がある。このとき、第１境界部ｐ１及び第２境界部ｐ２と重なるように第５配線Ｌ５を設けることで、光漏れが抑制できる。表示品位が向上する。一方、視感度が低い赤と青との間の境界部である第３境界部ｐ３においては、光漏れが抑制されている。このため、第５配線Ｌ５を第３境界部ｐ３に重ねなくても良い。
【０１７６】
この例では、複数の第３配線Ｌ３どうしの間隙Ｇ３の少なくともいずれかは、Ｘ−Ｙ平面に投影したときに、第３境界部ｐ３と重なる。光漏れが少ない第３境界部ｐ３の位置に、間隙Ｇ３を配置することで、均一な表示が得やすくなる。
【０１７７】
図１２に例示するように、遮光層２７（例えばブラックマトリクス）をさらに設けても良い。遮光層２７は、Ｘ−Ｙ平面に投影したときに、第１境界部ｐ１、第２境界部ｐ２及び第３境界部ｐ３のそれぞれと重なる部分を有する。これにより、光漏れがさらに抑制でき、より高品位の表示が得られる。
【０１７８】
遮光層２７には、クロムまたはクロム化合物などが用いられる。遮光層２７として、黒色の樹脂を用いても良い。遮光層２７として、赤色フィルタ層ＲＦと、緑色フィルタ層ＧＦと、青色フィルタ層ＢＦと、の少なくとも２つを積層した積層膜を用いても良い。
【０１７９】
第１の実施形態に関して説明した構成及び動作と、第２の実施形態と組み合わせても良い。
【０１８０】
（第３の実施形態）  
図１３は、第３の実施形態に係る電子装置を例示する模式的斜視図である。  
図１３に示すように、本実施形態に係る電子機器５１０は、表示装置１１０及びその制御装置を含む。表示装置として、第１及び第２の実施形態に関して説明した表示装置、及び、それの変形を用いても良い。この例では、電子機器５１０は、表示装置１１０を内部に格納する筐体５８０をさらに含む。電子機器５１０として、例えば、携帯電話、携帯情報端末、パーソナルコンピュータ、各種の情報機器などが用いられる。
【０１８１】
本実施形態に係る電子機器５１０は、第１及び第２の実施形態に係る表示装置を用いることで、小型の電子装置が提供できる。
【０１８２】
実施形態によれば、小型の表示装置が提供できる。
【０１８３】
なお、本願明細書において、「垂直」及び「平行」は、厳密な垂直及び厳密な平行だけではなく、例えば製造工程におけるばらつきなどを含むものであり、実質的に垂直及び実質的に平行であれば良い。
【０１８４】
以上、具体例を参照しつつ、本発明の実施の形態について説明した。しかし、本発明は、これらの具体例に限定されるものではない。例えば、表示装置に含まれる配線、スイッチ素子、表示層、絶縁層、駆動部、スイッチ、セレクタ及び回路などの各要素の具体的な構成に関しては、当業者が公知の範囲から適宜選択することにより本発明を同様に実施し、同様の効果を得ることができる限り、本発明の範囲に包含される。  
また、各具体例のいずれか２つ以上の要素を技術的に可能な範囲で組み合わせたものも、本発明の要旨を包含する限り本発明の範囲に含まれる。
【０１８５】
本発明の実施の形態として上述した表示装置を基にして、当業者が適宜設計変更して実施し得る全ての表示装置も、本発明の要旨を包含する限り、本発明の範囲に属する。
【０１８６】
本発明の思想の範疇において、当業者であれば、各種の変更例及び修正例に想到し得るものであり、それら変更例及び修正例についても本発明の範囲に属するものと了解される。  
例えば、前述の各実施形態に対して、当業者が適宜、構成要素の追加、削除若しくは設計変更を行ったもの、又は、工程の追加、省略若しくは条件変更を行ったものも、本発明の要旨を備えている限り、本発明の範囲に含まれる。
【０１８７】
また、本実施形態において述べた態様によりもたらされる他の作用効果について本明細書記載から明らかなもの、又は当業者において適宜想到し得るものについては、当然に本発明によりもたらされるものと解される。
【０１８８】
（１）開示される発明の一態様は、表示領域と、周辺領域と、を含む第１面を有する第１基板と、
前記表示領域に設けられた表示部であって、
前記周辺領域から前記表示領域に向かう方向に対して交差する第１方向に延在し前記第１方向と交差する第２方向に並ぶ複数の第１配線と、
前記第２方向に延在し前記第１方向に並ぶ複数の第２配線と、
それぞれが前記複数の第１配線のいずれか及び前記複数の第２配線のいずれかと電気的に接続された複数のスイッチ素子と、
それぞれが前記複数のスイッチ素子のそれぞれと電気的に接続された複数の画素電極と、
前記第２方向に延在し前記第１方向に並ぶ複数の第３配線と、
を含む表示部と、
前記周辺領域に設けられ、前記複数の第２配線の少なくともいずれかと前記複数の第３配線の少なくともいずれかとに電気的に接続された回路部と、
を含む第１基板部と、
前記第１面に対向する第２面と、前記第２面の反対側の第３面と、を有する第２基板と、
前記第３面に設けられ前記第３面に対して平行で前記第２方向に対して交差する第３方向に延在し前記第３面に対して平行で前記第３方向と交差する第４方向に並ぶ複数の第４配線と、
を含む第２基板部と、
前記第１基板部と前記第２基板部との間に設けられ前記複数の画素電極に与えられる電気信号に基づいて、光学動作を行う表示層と、
前記周辺領域の上に設けられ前記電気信号を前記回路部に出力可能な駆動素子と、
を有し、
前記回路部の少なくとも一部は、前記駆動素子と前記第１基板との間に配置される、表示装置である。
【０１８９】
（２）開示される発明の一態様は、前記回路部と前記駆動素子とに電気的に接続された制御部をさらに含み、
前記制御部は、前記回路部及び前記駆動素子に、第１動作と第２動作とを実施させ、
前記第１動作は、表示期間において、
前記複数の第１配線のいずれか及び前記複数の第２配線のいずれかに接続された前記複数のスイッチ素子のうちのいずれかを選択し、
前記複数の画素電極のうちの前記選択されたスイッチ素子と電気的に接続された画素電極に画像電位を印加し、
前記複数の第３配線の少なくともいずれかに表示対向電位を印加し、
前記第２動作は、非表示期間において、
前記複数の第２配線の少なくともいずれかの電位を、前記複数の第３配線のいずれかの電位と同電位にする、（１）に記載の表示装置である。
【０１９０】
（３）開示される発明の一態様は、前記第２動作において、前記複数の第４配線の少なくともいずれかと、前記複数の第３配線の少なくともいずれかと、の間に形成される容量の変化を検知する検出部を有する、（１）または（２）に記載の表示装置である。
【０１９１】
（４）開示される発明の一態様は、前記表示対向電位に設定される表示対向電位線と、
セレクタスイッチと、
コモンセレクタと、
をさらに含み、
前記回路部の一端は、前記駆動素子と電気的に接続され、前記回路部の他端は、前記セレクタスイッチ及び前記コモンセレクタと電気的に接続され、
前記第１動作において、前記セレクタスイッチは、前記回路部と、前記複数の第２配線のそれぞれと、を電気的に接続し、前記コモンセレクタは、前記表示対向電位線と、前記複数の第３配線のそれぞれと、を電気的に接続し、
前記第２動作において、前記回路部は、前記駆動素子を前記複数の第２配線のそれぞれと電気的に遮断し、前記コモンセレクタは、前記複数の第３配線の少なくともいずれかと前記複数の第２配線の少なくともいずれかとを電気的に接続する、（２）又は（３）に記載の表示装置である。
【０１９２】
（５）開示される発明の一態様は、前記表示対向電位とは異なる検知電位に設定される検知電位線と、
前記検知電位とは異なる電位の接地電位線と、
を含み、
前記駆動素子は、前記電気信号の一部を出力可能なソース回路を含み、
前記回路部は、
一端が前記検知電位線と電気的に接続され他端が前記ソース回路の出力と電気的に接続された検知電位スイッチと、
一端が前記検知電位線と電気的に接続され他端が前記接地電位線に接続された接地電位スイッチと、
を含む、（２）又は（３）に記載の表示装置である。
【０１９３】
（６）開示される発明の一態様は、前記複数の第２配線は、信号線 を含み、
一端が前記第１信号線に接続され他端が前記検知電位スイッチの前記他端に接続された信号線スイッチをさらに含む、（５）に記載の表示装置である。
【０１９４】
（７）開示される発明の一態様は、前記複数の第３配線は、コモン線を 含み、
前記表示対向電位に設定される表示対向電位線と、
一端が前記コモン線に接続され他端が前記対向電位線に接続された第１コモンスイッチと、
一端が前記コモン線に接続され他端が前記信号線に接続された第２コモンスイッチと、
をさらに含む、（６）に記載の表示装置である。
【０１９５】
（８）開示される発明の一態様は、前記第１動作において、
前記検知電位スイッチは、前記表示対向電位線を前記ソース回路の前記出力と電気的に遮断し、
前記接地電位スイッチは、前記接地電位線を前記ソース回路の前記出力と電気的に遮断し、
前記信号線スイッチは、前記信号線を前記ソース回路の前記出力と電気的に接続し、
前記第１コモンスイッチは、前記コモン線を前記表示対向電位線と電気的に接続し、
前記第２コモンスイッチは、前記コモン線を前記信号線と電気的に接続する、（７）に記載の表示装置である。
【０１９６】
（９）開示される発明の一態様は、前記第２動作において、
前記検知電位スイッチ及び前記接地電位スイッチにより、前記表示対向電位線は前記ソース回路の前記出力及び前記接地電位線のいずれか一方に電気的に接続し、
前記信号線スイッチは、前記信号線を前記接地電位スイッチの他端と電気的に接続し、
前記第１コモンスイッチは、前記コモン線を前記表示対向電位線と電気的に遮断し、
前記第２コモンスイッチは、前記コモン線を前記信号線と電気的に接続する、（７）または（８）に記載の表示装置である。
【０１９７】
（１０）開示される発明の一態様は、前記回路部と前記駆動素子とに電気的に接続された制御部をさらに含み、
前記制御部は、前記回路部及び前記駆動素子に、第１動作と第２動作とを実施させ、
前記第１動作は、表示期間において、
前記複数の第１配線のいずれか及び前記複数の第２配線のいずれかに接続された前記複数のスイッチ素子のうちのいずれかを選択し、
前記複数の画素電極のうちの前記選択されたスイッチ素子と電気的に接続された画素電極に画像電位を印加し、
前記複数の第３配線の少なくともいずれかに表示対向電位を印加し、
前記第２動作は、非表示期間において、
前記複数の第２配線の少なくともいずれかの電位を、浮遊電位とする、（１）に記載の表示装置である。
【０１９８】
（１１）開示される発明の一態様は、接続導電部材をさらに含み、
前記駆動素子は前記第１基板側の面に設けられた下面電極を含み、
前記第１基板部は、前記周辺領域に設けられた配線電極をさらに含み、
前記接続導電部材は、前記下面電極と前記配線電極との間に配置され、前記下面電極と前記配線電極とを電気的に接続する、（１）乃至（１０）のいずれか１つに記載の表示装置である。
【０１９９】
（１２）開示される発明の一態様は、前記第１面に投影したときに、前記駆動素子は、前記第２基板部と重ならない、（１）乃至（１１）のいずれか１つに記載の表示装置である。
【０２００】
（１３）開示される発明の一態様は、赤色フィルタ層と、緑色フィルタ層と、青色フィルタ層と、を含むカラーフィルタ層と、
前記第２方向に延在する複数の第５配線と、
をさらに含み、
前記カラーフィルタ層は、前記赤色フィルタ層と前記緑色フィルタ層との間の第１境界部と、前記緑色フィルタ層と前記青色フィルタ層との間の第２境界部と、前記青色フィルタ層と前記赤色フィルタ層との間の第３境界部と、を有し、
前記複数の第５配線のそれぞれは、複数の第３配線のいずれかに電気的に接続され、
前記複数の第５配線のそれぞれの電気抵抗は、前記複数の第３配線のそれぞれの電気抵抗よりも低く、
前記複数の第５配線は、前記第１方向及び前記第２方向を含む平面に投影したときに、前記第１境界部または前記第２境界部と重なり、前記第３境界部とは重ならない、（１）〜（１２）のいずれか１つに記載の表示装置である。
【０２０１】
（１４）開示される発明の一態様は、前記複数の第３配線どうしの間隙の少なくともいずれかは、前記第１方向及び前記第２方向を含む平面に投影したときに、前記第３境界部と重なる、（１３）に記載の表示装置である。
【０２０２】
（１５）開示される発明の一態様は、赤色フィルタ層と、緑色フィルタ層と、青色フィルタ層と、を含むカラーフィルタ層をさらに含み、
前記カラーフィルタ層は、前記赤色フィルタ層と前記緑色フィルタ層との間の第１境界部と、前記緑色フィルタ層と前記青色フィルタ層との間の第２境界部と、前記青色フィルタ層と前記赤色フィルタ層との間の第３境界部と、を有し、
前記複数の第３配線どうしの間隙の少なくともいずれかは、前記第１方向及び前記第２方向を含む平面に投影したときに、前記第３境界部と重なる、（１）〜（１２）のいずれか１つに記載の表示装置である。
【符号の説明】
【０２０３】
１ｓｅｌ、２ｓｅｌ…画像信号、  １０…第１基板、  １０Ｄ…表示領域、  １０Ｐ…周辺領域、  １０ａ…第１面、  １０ｃ、１０ｄ…配線電極、  １０ｕ…第１基板部、  １１…スイッチ素子、  １１ｇ…ゲート、  １１ｉ…ゲート絶縁膜、  １１ｓｅｌ…選択スイッチ素子、  １２…半導体層、  １２ａ…第１部分、  １２ｂ…第２部分、  １２ｃ…第３部分、  １３…層間絶縁膜、  １５ａ…第１接続部、  １５ｂ…第２接続部、  １５ｃ…第１接続導電部、  １５ｄ…第２接続導電部、  １７…第３接続導電部、  １８…第１配向膜、  ２０…第２基板、  ２０ａ…第２面、  ２０ｂ…第３面、  ２０ｕ…第２基板部、  ２５…カラーフィルタ層、  ２７…遮光層、  ２８…第２配向膜、  ３０…表示層、  ３５…画素、  ３５ａ…第１色画素、  ３５ｂ…第２色画素、  ３７…封止部、  ５１…第１偏光層、  ５２…第２偏光層、  ５５…バックライト部、  ６０…駆動部、  ６１…第１駆動回路、  ６２…第２駆動回路、  ６２ａ…第１駆動部、  ６２ｂ…第２駆動部、  ６２ｃ…第３駆動部、  ６３…制御部、  ６５…検出回路、  ７１…駆動素子、  ７１ｃ、７１ｄ…下面電極、  ７２ｃ、７２ｄ…接続導電部材、  ７５…回路部、  ７６ａ、７６ｂ…ゲートドライバ、  ７７…マルチプレクサ、  ７８ａ、７８ｂ…第１、第２基板コネクタ部、  ８１…第１回路基板、  ８１ｃ…接続部材、  ８２…第２回路基板、  ８３…検出部、  １１０、１１１、１１２…表示装置、、  ３１１…第１回路、  ３１１ａ…第１出力、  ３１１ｂ…第２出力、  ３１２…第２回路、  ３１２ａ…第３出力、  ３１２ｂ…第４出力、  ３１３ａ…第１スイッチ、  ３１３ｂ…第３スイッチ、  ３１４ａ…第２スイッチ、  ３１４ｂ…第４スイッチ、  ３１５…スイッチ、  ３１６、３１７…配線、  ５１０…電子機器、  ５８０…筐体、  ＢＦ…青色フィルタ層、  ＣＣ…配線、  ＣＬ…コモン線、  ＣＬ１、ＣＬ２、ＣＬＮ…コモン線、  ＣＯＭ＿ＳＥＬ、ＣＯＭ＿ＳＥＬ０…コモンセレクタ、  ＣＯＭＤＣ…表示対向電位、  ＣＯＭｌ…表示対向電位線、  ＣＳ１〜ＣＳ４…第１〜第４コモンスイッチ、  Ｃｌ１…第１コモン線、  Ｃｓ…蓄積容量、  ＤＤＩ−ＯＵＴ…端子、  ＤＰ…表示部、  ＤＴ…表示期間、  ＤＴ１、ＤＴ２…第１、第２表示期間、  Ｇ３…間隙、  ＧＦ…緑色フィルタ層、  ＧＬ…ゲート線、  ＧＬ１、ＧＬ２、ＧＬｎ…ゲート線、  ＧＮＤ…接地電位、  Ｇａｔｅ…ゲート線、  Ｈｉ−Ｚ…高抵抗状態、  Ｉ１、Ｉ２…第１、第２絶縁層、  Ｌ１〜Ｌ５…第１〜第５配線、  ＮＤＴ…非表示期間、  ＯＰ１、ＯＰ２…第１、第２動作、  Ｐｘ…画素電極、  Ｐｘａ、Ｐｘｂ…第１、第２色画素電極、  Ｐｘｓ…部分、  Ｐｘｓｅｌ…選択画素電極、  ＲＦ…赤色フィルタ層、  ＲＬ…検出線、  ＲＬ１、ＲＬ２、ＲＬＭ…検出線、  ＳＣ１、ＳＣ２…第１、第２ソース回路、  ＳＥＬ＿ＳＷ…セレクタスイッチ、  ＳＥＬ１、ＳＥＬ２…信号、  ＳＬ…信号線、  ＳＬ１、ＳＬ２、ＳＬｍ…信号線、  ＳＬａ、ＳＬｂ…第１、第２色配線、  ＳＯ１、ＳＯ２…他端、  ＳＳ１、ＳＳ２…第１、第２ソーススイッチ、  ＳＶ０ｌ…基準電位線、  ＳＶＳ１、ＳＶＳ２…第１、第２検知電位スイッチ、  ＳＶＳＧ１、ＳＶＳＧ２…第１、第２接地電位スイッチ、  ＳＶｌ…検知電位線、  Ｓｌ１、Ｓｌ２、Ｓｌ３…第１、第２、第３信号線、  ＳｌＳ１、ＳｌＳ２、ＳｌＳ３…第１、第２、第３信号線スイッチ、  ＴＰＨ…タッチ動作電位、  ＴＳＶＣＯＭ…信号、  ＴＳＶＣＯＭ１…配線、  Ｕｆ…上面、  ＶＣＯＭＤＣ…共通電極直流電位、  ＶＣＯＭＳＥＬ…コモンセレクタ信号、  ｐ１〜ｐ３…第１〜第３境界部、  ｔ１、ｔ１２、ｔ１３、ｔ２、ｔ３、ｔ３１、ｔ３２、ｔ３８、ｔ３９、ｔ４、ｔ４０、ｔ４１、ｔ４２、ｔ５、ｔ６、ｔ７…時間
【図１】
2015230400.tif 000003
【図２】
2015230400.tif 000004
【図３】
2015230400.tif 000005
【図４】
2015230400.tif 000006
【図５】
2015230400.tif 000007
【図６】
2015230400.tif 000008
【図７】
2015230400.tif 000009
【図８】
2015230400.tif 000010
【図９】
2015230400.tif 000011
【図１０】
2015230400.tif 000012
【図１１】
2015230400.tif 000013
【図１２】
2015230400.tif 000014
【図１３】
2015230400.tif 000015